(57)【要約】【課題】control plane CIoT EPS optimizationと user plane CIoT EPS optimizationとをサポートした端末装置や、前記端末装置と接続可能なネットワークの装置に好適な通信制御手段を提供する事。【解決手段】control plane CIoT EPS optimization と user plane CIoT EPS optimizationとをサポートした端末装置や、前記端末装置と接続可能なネットワークの装置に対して、control plane CIoT EPS optimizationから user plane CIoT EPS optimizationへの切替えに好適な通信制御手段や、control plane CIoT EPS optimizationからS1-Uを用いたデータ通信への切替えに好適な通信制御手段を提供する。【選択図】図1
2018078358.tif 000002
【特許請求の範囲】
【請求項１】
端末装置であって、
前記端末装置は、
1又は複数のPDNコネクションを確立する制御部を備え、
前記1又は複数のPDNコネクションはCIoT EPS optimizationが許可され、IP又はnon-IPデータを送受信するPGW(Packet Data Gateway)との間に確立するPDNコネクションであり、
前記制御部は、前記1又は複数のPDNコネクションの全てが、各PDNコネクション確立手続き時において、Control plane only indicationをMME(Mobility Management Entity)から受信せずに確立したPDNコネクションである場合に、コントロールプレーンサービス要求メッセージに、無線ベアラの確立要求することを示すアクティブフラグを含め、前記コントロールプレーンサービス要求メッセージを前記MMEに送信してサービスリクエスト手続きを開始する
ことを特徴とする端末装置。
【請求項２】
前記制御部は、前記1又は複数のPDNコネクションの少なくとも1つのPDNコネクションが、PDNコネクション確立手続き時において、前記Control plane only indicationをネットワークから受信して確立したPDNコネクションである場合には、コントロールプレーンサービスタイプに前記アクティブフラグを含めた前記サービスリクエスト手続きの実行を禁止する
ことを特徴とする請求項1に記載の端末装置。
【請求項３】
前記制御部は、
前記サービスリクエスト手続きの開始の前に、少なくとも1つ以上のCIoT EPS optimizationが許可され、non-IPデータを送受信するSCEF(Service Capability Exposure Function)との間に確立するPDNコネクションを確立する
ことを特徴とする請求項1に記載の端末装置。
【請求項４】
アタッチ手続きにおいて、少なくとも第1の識別情報と、第2の識別情報及び/又は第3の識別情報とを受信する送受信部を備え、
前記第1の識別情報は、Control plane CIoT EPS optimizationをサポートすることを示す情報であり、
前記第2の識別情報は、User plane CIoT EPS optimizationをサポートすることを示す情報であり、
前記第3の識別情報は、S1-Uを用いたデータ通信をサポートすることを示す情報である
ことを特徴とする請求項1に記載の端末装置。
【請求項５】
MME(Mobility Management Entity)であって、
前記MMEは、
端末装置に対して、無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備える
ことを特徴とするMME。
【請求項６】
前記送受信部は、前記端末装置が主導して開始するアタッチ手続きにおいて、少なくとも第1の識別情報と、第2の識別情報及び/又は第3の識別情報とを前記端末装置から受信し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記送受信部は、前記アクティブフラグを含めた前記コントロールプレーンサービス要求メッセージの送信を許可しない場合には、前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、
前記第4の識別情報は、Control plane CIoT EPS optimizationをサポートすることを示す情報であり、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とする請求項5に記載のMME。
【請求項７】
前記送受信部は、前記端末装置に対して前記コントロールプレーンサービス要求メッセージの送信を許可する場合には、前記アタッチ手続きにおいて、前記第4の識別情報、前記第5の識別情報、前記第6の識別情報のうち、少なくとも、前記第4の識別情報と、前記第5の識別情報及び/又は前記第6の識別情報を前記端末装置に送信する
ことを特徴とする請求項6に記載のMME。
【請求項８】
端末装置の通信制御方法あって、
1又は複数のPDNコネクションを確立するステップと、
前記1又は複数のPDNコネクションはCIoT EPS optimizationが許可され、IP又はnon-IPデータを送受信するPGW(Packet Data Gateway)との間に確立するPDNコネクションであり、
前記1又は複数のPDNコネクションの全てが、各PDNコネクション確立手続き時において、Control plane only indicationをMME(Mobility Management Entity)から受信せずに確立したPDNコネクションである場合に、コントロールプレーンサービス要求メッセージに、無線ベアラの確立要求することを示すアクティブフラグを含め、前記コントロールプレーンサービス要求メッセージを前記MMEに送信してサービスリクエスト手続きを開始するステップとを有する
ことを特徴とする端末装置の通信制御方法。
【請求項９】
前記1又は複数のPDNコネクションの少なくとも1つのPDNコネクションが、PDNコネクション確立手続き時において、前記Control plane only indicationをネットワークから受信して確立したPDNコネクションである場合には、コントロールプレーンサービスタイプに前記アクティブフラグを含めたサービスリクエスト手続きの実行を禁止するステップを有する
ことを特徴とする請求項8に記載の端末装置の通信制御方法。
【請求項１０】
前記サービスリクエスト手続きの開始の前に、少なくとも1つ以上のCIoT EPS optimizationが許可され、non-IPデータを送受信するSCEF(Service Capability Exposure Function)との間に確立するPDNコネクションを確立するステップを有する
ことを特徴とする請求項8に記載の端末装置の通信制御方法。
【請求項１１】
アタッチ手続きにおいて、少なくとも第1の識別情報と、第2の識別情報及び/又は第3の識別情報とを受信するステップを有し、
前記第1の識別情報は、Control plane CIoT EPS optimizationをサポートすることを示す情報であり、
前記第2の識別情報は、User plane CIoT EPS optimizationをサポートすることを示す情報であり、
前記第3の識別情報は、S1-Uを用いたデータ通信をサポートすることを示す情報である
ことを特徴とする請求項8に記載の端末装置の通信制御方法。
【請求項１２】
MME(Mobility Management Entity)の通信制御方法であって、
端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップを有する
ことを特徴とするMMEの通信制御方法。
【請求項１３】
前記端末装置が主導して開始するアタッチ手続きにおいて、少なくとも第1の識別情報と、第2の識別情報及び/又は第3の識別情報とを前記端末装置から受信するステップを有し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記MMEは、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信するステップを更に有し、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とする請求項12に記載のMMEの通信制御方法。
【請求項１４】
前記端末装置に対して前記コントロールプレーンサービス要求メッセージの送信を許可する場合には前記アタッチ手続きにおいて、前記第4の識別情報、前記第5の識別情報、前記第6の識別情報のうち、少なくとも、前記第4の識別情報と、前記第5の識別情報及び/又は前記第6の識別情報を前記端末装置に送信するステップを有する
ことを特徴とする請求項13に記載のMMEの通信制御方法。
【請求項１５】
コアネットワーク装置であって、
前記コアネットワーク装置は、
端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備え、
前記送受信部は、前記端末装置が主導して開始するアタッチ手続きにおいて、少なくとも第1の識別情報と、第2の識別情報及び/又は第3の識別情報とを前記端末装置から受信し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記送受信部は、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とするコアネットワーク装置。
【請求項１６】
コアネットワーク装置の通信制御方法であって、
端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップと、
前記コアネットワーク装置は、前記端末装置が主導して開始するアタッチ手続きにおいて、少なくとも第1の識別情報と、第2の識別情報及び/又は第3の識別情報とを前記端末装置から受信するステップを有し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とするコアネットワーク装置の通信制御方法。
【請求項１７】
MME(Mobility Management Entity)を含む通信システムであって、
前記MMEは、
端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備え、
前記送受信部は、前記端末装置が主導して開始するアタッチ手続きにおいて、少なくとも第1の識別情報と、第2の識別情報及び/又は第3の識別情報とを前記端末装置から受信し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記送受信部は、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とする通信システム。
【請求項１８】
MME(Mobility Management Entity)を含む通信システムの通信制御方法であって、
端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップと、
前記端末装置が主導して開始するアタッチ手続きにおいて、少なくとも第1の識別情報と、第2の識別情報及び/又は第3の識別情報とを前記端末装置から受信するステップとを有し、
前記第1の識別情報は、前記端末装置がControl plane CIoT EPS optimizationをサポートすることを示す情報であり、
前記第2の識別情報は、前記端末装置がUser plane CIoT EPS optimizationをサポートすることを示す情報であり、
前記第3の識別情報は、前記端末装置がS1-Uを用いたデータ通信をサポートすることを示す情報であり、
前記通信システムは、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信するステップをさらに有し、
前記第4の識別情報は、前記Control plane CIoT EPS optimizationをサポートすることを示す情報であり、
前記第5の識別情報は、前記User plane CIoT EPS optimizationをサポートすることを示す情報であり、
前記第6の識別情報は、前記S1-Uを用いたデータ通信をサポートすることを示す情報である
ことを特徴とする通信システムの通信制御方法。
【発明の詳細な説明】
【技術分野】
【０００１】
本発明は、端末装置、MME(Mobility Management Entity)、コアネットワーク装置、MMEを含む通信システム、及び通信制御方法に関する。
【背景技術】
【０００２】
近年の移動通信システムの標準化活動を行う3GPP(The 3rd Generation Partnership Project)は、LTE(Long Term Evolution)のシステムアーキテクチャであるSAE(System Architecture Enhancement)の検討を行っている。3GPPは、オールIP化を実現する通信システムとしてEPS(Evolved Packet System)の仕様化を行っている。なお、EPSを構成するコアネットワークはEPC(Evolved Packet Core)と呼ばれる。
【０００３】
また、近年3GPPでは、M2M(Machine to Machine)通信技術の検討を行っている。なお、M2M通信とはマシンマシン型通信であってよい。3GPPでは、特に、IoT(Internet of Things)を3GPPのセルラーネットワークサポートするための技術としてCIoT(Cellular Internet of Things)の検討を行っている。
【０００４】
IoTとは、スマートフォン等の携帯電話端末を含み、パソコンやセンサー装置などの様々なIT機器を指し、CIoTでは、こうした様々な端末装置をセルラーネットワークに接続するための技術課題を抽出し、解決策を仕様化している。
【０００５】
例えば、CIoTでは、バッテリーが数年間維持できるようにするなどの電力消費の高効率化が必要な端末のための通信手続きの最適化や、屋内や地下状態における通信への対応や、安価に大量生産した大量の端末に対する接続性の提供などが要求される。更に、CIoTは、簡易なエンドノードによる低データレート通信をサポートすることも要求条件として挙げられている。なお、本稿では、これらの3GPPのコアネットワークへの接続が許可された端末をCIoT端末と表現とする。
【先行技術文献】
【非特許文献】
【０００６】
【非特許文献１】3GPP TS 24.301; Technical Specification Group Core Network and Terminals; Non-Access-Stratum (NAS) protocol for Evolved Packet System (EPS); Stage 3 (Release 13)
【非特許文献２】3GPP TS 23.401; Technical Specification Group Services and System Aspects; General Packet Radio Service (GPRS) enhancements for Evolved Universal Terrestrial Radio Access Network (E-UTRAN) access (Release 13)
【発明の概要】
【発明が解決しようとする課題】
【０００７】
CIoTでは、制御信号の効率化やスモールデータ、SMS等のユーザデータの効率的な通信を実現するために、シグナリングの最適化が検討されている。具体的には、シグナリングの最適化として、control plane CIoT EPS optimizationとuser plane CIoT EPS optimizationが検討されている。
【０００８】
従来技術では、control plane CIoT EPS optimizationとuser plane CIoT EPS optimizationの使用を決定するための手続きは詳細まで明らかになっているが、control plane CIoT EPS optimizationからuser plane CIoT EPS optimizationに切り替える手続きの詳細が明らかになっていない。
【０００９】
本発明は、このような事情を鑑みてなされたもので、その目的は、control plane CIoT EPS optimizationからuser plane CIoT EPS optimizationに切り替える手続きの詳細を明らかにし、切り替える手続きの通信手続きを提供する事である。
【課題を解決するための手段】
【００１０】
本発明の端末装置は、1又は複数のPDNコネクションを確立する制御部を備え、前記1又は複数のPDNコネクションはCIoT EPS optimizationが許可され、IP又はnon-IPデータを送受信するPGW(Packet Data Gateway)との間に確立するPDNコネクションであり、前記制御部は、前記1又は複数のPDNコネクションの全てが、各PDNコネクション確立手続き時において、Control plane only indicationをMME(Mobility Management Entity)から受信せずに確立したPDNコネクションである場合に、コントロールプレーンサービス要求メッセージに、無線ベアラの確立要求することを示すアクティブフラグを含め、前記コントロールプレーンサービス要求メッセージを前記MMEに送信してサービスリクエスト手続きを開始することを特徴とする。
【００１１】
本発明のMME(Mobility Management Entity)は、端末装置に対して、無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備えることを特徴とするMME。
【００１２】
本発明の端末装置の通信制御方法は、1又は複数のPDNコネクションを確立するステップと、前記1又は複数のPDNコネクションはCIoT EPS optimizationが許可され、IP又はnon-IPデータを送受信するPGW(Packet Data Gateway)との間に確立するPDNコネクションであり、前記1又は複数のPDNコネクションの全てが、各PDNコネクション確立手続き時において、Control plane only indicationをMME(Mobility Management Entity)から受信せずに確立したPDNコネクションである場合に、コントロールプレーンサービス要求メッセージに、無線ベアラの確立要求することを示すアクティブフラグを含め、前記コントロールプレーンサービス要求メッセージを前記MMEに送信してサービスリクエスト手続きを開始するステップとを有することを特徴とする。
【００１３】
本発明のMME(Mobility Management Entity)の通信制御方法は、端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップを有することを特徴とする。
【００１４】
本発明のコアネットワーク装置は、端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備え、前記送受信部は、前記端末装置が主導して開始するアタッチ手続きにおいて、少なくとも第1の識別情報と、第2の識別情報及び/又は第3の識別情報とを前記端末装置から受信し、前記第1の識別情報は、前記端末装置がControl plane CIoT EPS optimizationをサポートすることを示す情報であり、前記第2の識別情報は、前記端末装置がUser plane CIoT EPS optimizationをサポートすることを示す情報であり、前記第3の識別情報は、前記端末装置がS1-Uを用いたデータ通信をサポートすることを示す情報であり、前記送受信部は、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、前記第4の識別情報は、前記Control plane CIoT EPS optimizationをサポートすることを示す情報であり、前記第5の識別情報は、前記User plane CIoT EPS optimizationをサポートすることを示す情報であり、前記第6の識別情報は、前記S1-Uを用いたデータ通信をサポートすることを示す情報であることを特徴とする。
【００１５】
本発明のコアネットワーク装置の通信制御方法は、端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップと、前記コアネットワーク装置は、前記端末装置が主導して開始するアタッチ手続きにおいて、少なくとも第1の識別情報と、第2の識別情報及び/又は第3の識別情報とを前記端末装置から受信するステップを有し、前記第1の識別情報は、前記端末装置がControl plane CIoT EPS optimizationをサポートすることを示す情報であり、前記第2の識別情報は、前記端末装置がUser plane CIoT EPS optimizationをサポートすることを示す情報であり、前記第3の識別情報は、前記端末装置がS1-Uを用いたデータ通信をサポートすることを示す情報であり、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、前記第4の識別情報は、前記Control plane CIoT EPS optimizationをサポートすることを示す情報であり、前記第5の識別情報は、前記User plane CIoT EPS optimizationをサポートすることを示す情報であり、前記第6の識別情報は、前記S1-Uを用いたデータ通信をサポートすることを示す情報であることを特徴とする。
【００１６】
本発明のMME(Mobility Management Entity)を含む通信システムでは、前記MMEは、端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信する送受信部を備え、前記送受信部は、前記端末装置が主導して開始するアタッチ手続きにおいて、少なくとも第1の識別情報と、第2の識別情報及び/又は第3の識別情報とを前記端末装置から受信し、前記第1の識別情報は、前記端末装置がControl plane CIoT EPS optimizationをサポートすることを示す情報であり、前記第2の識別情報は、前記端末装置がUser plane CIoT EPS optimizationをサポートすることを示す情報であり、前記第3の識別情報は、前記端末装置がS1-Uを用いたデータ通信をサポートすることを示す情報であり、前記送受信部は、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信し、前記第4の識別情報は、前記Control plane CIoT EPS optimizationをサポートすることを示す情報であり、前記第5の識別情報は、前記User plane CIoT EPS optimizationをサポートすることを示す情報であり、前記第6の識別情報は、前記S1-Uを用いたデータ通信をサポートすることを示す情報であることを特徴とする。
【００１７】
本発明のMME(Mobility Management Entity)を含む通信システムの通信制御方法は、端末装置に対して無線ベアラの確立要求することを示すアクティブフラグを含めたコントロールプレーンサービス要求メッセージの送信を許可しない場合には、前記端末装置とPGW(Packet Data Gateway)との間でIP又はnon-IPデータを送受信するPDNコネクションの確立手続きにおいて、Control plane only indicationを前記端末装置に送信するステップと、前記端末装置が主導して開始するアタッチ手続きにおいて、少なくとも第1の識別情報と、第2の識別情報及び/又は第3の識別情報とを前記端末装置から受信するステップとを有し、前記第1の識別情報は、前記端末装置がControl plane CIoT EPS optimizationをサポートすることを示す情報であり、前記第2の識別情報は、前記端末装置がUser plane CIoT EPS optimizationをサポートすることを示す情報であり、前記第3の識別情報は、前記端末装置がS1-Uを用いたデータ通信をサポートすることを示す情報であり、前記通信システムは、前記アクティブフラグを含めた前記コントロールプレーンサービス要求メッセージの送信を許可しない場合には前記アタッチ手続きにおいて、第4の識別情報、第5の識別情報、第6の識別情報のうち、前記第5の識別情報及び前記第6の識別情報は送信せずに、前記第4の識別情報を前記端末装置に送信するステップをさらに有し、前記第4の識別情報は、前記Control plane CIoT EPS optimizationをサポートすることを示す情報であり、前記第5の識別情報は、前記User plane CIoT EPS optimizationをサポートすることを示す情報であり、前記第6の識別情報は、前記S1-Uを用いたデータ通信をサポートすることを示す情報であることを特徴とする。
【発明の効果】
【００１８】
本発明によれば、CIoT端末は、control plane CIoT EPS optimizationを使用している状態からuser plane CIoT EPS optimization状態、及びCIoT EPS Optimizationを使用しない状態に遷移することが可能になる。
【図面の簡単な説明】
【００１９】
【図１】移動通信システムの概略を説明する為の図である。
【図２】移動通信システムにおけるコアネットワークの構成等の1例を説明する為の図である。
【図３】UEの装置構成を説明する為の図である。
【図４】MMEの装置構成を説明する為の図である。
【図５】本通信手続きを説明する為の図である。
【図６】アタッチ手続きを説明する為の図である。
【図７】トラッキングエリア更新手続きを説明する為の図である。
【図８】切り替え手続きを説明する為の図である。
【発明を実施するための形態】
【００２０】
以下、図面を参照して本発明を実施する為に最良の形態について説明する。なお、本実施形態では1例として、本発明を適用した場合の移動通信システムの実施形態について説明する。
【００２１】
[1.システム概要]
図1は、本実施形態における移動通信システムの概略を説明する為の図である。本図に示すように、移動通信システム1は、移動端末装置UE_A10とアクセスネットワーク_Aとコアネットワーク_A90とPDN(Packet Data Network)_A5により構成されている。ここで、UE_A10は無線接続可能な端末装置であればよく、UE(User Equipment)、ME(Mobile Equipment)、MS(Mobile Station)、又はCIoT(Cellular Internet of Things)端末(CIoT UE)等でもよい。さらに、コアネットワークは、コアネットワーク_A90であってもよく、アクセスネットワークは、アクセスネットワーク_Aであってもよい。さらに、コアネットワークは、コアネットワーク装置であってもよい。もしくは、本実施形態において、コアネットワーク装置とは、コアネットワーク_A90に含まれる各装置及び/又は各装置の処理又は機能の一部又は全てを実行する装置であってよい。
【００２２】
また、UE_A10は、アクセスネットワーク及び/又はコアネットワークと接続する事ができる。さらに、UE_A10は、アクセスネットワーク及び/又はコアネットワークを介してPDN_A5と接続する事ができ、さらにPDN_A5との間でユーザデータを送受信する。なお、ユーザデータとは、UE_A10とPDN_A5との間で送受信するデータでよい。さらに、ユーザデータの送受信(通信)はPDNコネクション(Packet Data Network Connection)を用いて実施されてもよい。さらに、ユーザデータの通信は、IP(Internet Protocol)通信に限らず、non-IP通信でもよい。
【００２３】
ここで、PDNコネクション(以下、PDN接続とも称する)は、UE_A10とPDN_A5との間のユーザデータの送受信等を行うPDU接続サービスを提供する為、UE_A10とPDN_A5との間で確立される接続性である。より具体的には、PDNコネクションは、UE_A10と外部ゲートウェイとの間で確立する接続性でよい。ここで、外部ゲートウェイは、PGW(Packet Data Network Gateway)_A30やUPGW(User Plane Gateway)_A130やSCEF(Service Capability Exposure Function)_A46等のコアネットワークとPDN_A5を接続する装置でよい。
【００２４】
また、PDNコネクションは、UE_A10と、コアネットワーク及び/又はPDN_A5との間でユーザデータを送受信する為に確立される通信路でもよく、PDUを送受信する為の通信路でもよい。さらに、PDNコネクションは、UE_A10と、コアネットワーク及び/又はPDN_A5との間で確立されるセッションでもよく、移動通信システム1内の各装置間の1又は複数のベアラ等の転送路で構成される論理的な通信路でもよい。より具体的には、PDNコネクションは、UE_A10が、コアネットワーク_A90と外部ゲートウェイとの間に確立するコネクションでもよく、UE_A10と、PGW_A30及び/又はSCEF_A46との間に確立するコネクションでもよい。
【００２５】
なお、PDNコネクションは、eNB(evolved Node B)_A45及び/又はSGW(Serving Gateway)_A35を介したUE_A10とPGW_A30との間の接続性及び/又はコネクションでもよいし、eNB_A45及び/又はMME_A40を介したUE_A10とSCEF_A46との間の接続性及び/又はコネクションでもよい。
【００２６】
なお、UE_A10は、PDN_A5に配置するアプリケーションサーバー等の装置と、PDNコネクションを用いてユーザデータの送受信を実行する事ができる。言い換えると、PDNコネクションは、UE_A10とPDN_A5に配置するアプリケーションサーバー等の装置との間で送受信されるユーザデータを転送する事ができる。さらに、各装置(UE_A10、アクセスネットワーク内の装置、及び/又はコアネットワーク内の装置)は、PDNコネクションに対して、1又は複数の識別情報を対応づけて管理してもよい。なお、これらの識別情報には、APN(Access Point Name)、TFT(Traffic Flow Template)、セッションタイプ、アプリケーション識別情報、PDN_A5の識別情報、NSI(Network Slice Instance)識別情報、及びDCN(Dedicated Core Network)識別情報、及びアクセスネットワーク識別情報のうち、少なくとも1つが含まれてもよいし、その他の情報がさらに含まれてもよい。さらに、PDNコネクションを複数確立する場合には、PDNコネクションに対応づけられる各識別情報は、同じ内容でもよいし、異なる内容でもよい。
【００２７】
ここで、PDNコネクションは、SCEF PDNコネクションとSGi PDNコネクションの2つの種別に分類することができる。SCEF PDNコネクションは、特定のアプリケーションに関するUEのnon-IPデータの通信の為の、UE_A10とSCEF_A46との間で確立されるPDNコネクションである。
【００２８】
さらに、SGi PDNコネクションは、特定のアプリケーションに関するUEのIP又はnon-IPデータの通信の為の、UE_A10とPGW_A30との間で確立されるPDNコネクションである。なお、以下の本実施形態の説明の用いるPDNコネクションは、SGi PDNコネクションを指す。さらに、SCEF PDNコネクションを説明する場合には、SCEF PDNコネクションと表現する。
【００２９】
ここで、SGiとはSGiインターフェースのことを示す。SGiインターフェースとは、コアネットワーク_A90とPDN_A5との間のインターフェースである。言い換えると、SGiインターフェースは、コアネットワーク_A90とPDN_A5とを接続し、コアネットワーク_A90とPDN_A5との間でユーザデータの転送に用いられるインターフェースであってもよい。より詳細には、SGiインターフェースは、PGW_A30とPDN_A5との間のインターフェースであってよく、さらに、PGW_A30とPDN_A5との間で、ユーザデータの転送に用いられるインターフェースであってよい。
【００３０】
また、S1-UとはS1-Uインターフェースのことを示す。S1-Uインターフェースとは、コアネットワーク_A90とアクセスネットワーク、又はUE_A10との間のインターフェースである。言い換えると、S1-Uインターフェースは、コアネットワーク_A90とアクセスネットワーク、又はUE_A10とを接続し、コアネットワーク_A90とアクセスネットワーク、又はUE_A10との間でユーザデータを転送するインターフェースであってもよい。より詳細には、S1-Uインターフェースは、SGW_A35とeNB_A45との間のインターフェースであってよく、さらに、SGW_A35とeNB_A45との間で、ユーザデータの転送に用いられるインターフェースであってよい。
【００３１】
また、IP通信とは、IPを用いたデータの通信の事であり、IPヘッダが付与されたIPパケットの送受信によって実現されるデータ通信の事である。なお、IPパケットを構成するペイロード部にはUE_A10が送受信するユーザデータが含まれてよい。さらに、IP通信で送受信されるデータは、IPデータであってよい。言い換えると、IP通信は、IPデータを送受信するための通信であってもよい。
【００３２】
また、non-IP通信とは、IPを用いないデータの通信の事であり、IPヘッダが付与されていないデータの送受信によって実現されるデータ通信の事である。例えば、non-IP通信は、IPパケットが付与されていないアプリケーションデータの送受信によって実現されるデータ通信でもよいし、マックヘッダやEthernet(登録商標)フレームヘッダ等の別のヘッダを付与してUE_A10が送受信するユーザデータを送受信してもよい。さらに、non-IP通信で送受信されるデータは、non-IPデータであってよい。言い換えると、non-IP通信は、non-IPデータを送受信するための通信であってもよい。
【００３３】
さらに、PDN_A5は、UE_A10に通信サービスを提供するDN(Data Network)であってよい。なお、DNは、パケットデータサービス網として構成されてもよいし、サービス毎に構成されてもよい。さらに、PDN_A5は、接続された通信端末を含んでもよい。従って、PDN_A5と接続する事は、PDN_A5に配置された通信端末やサーバ装置と接続する事であってもよい。さらに、PDN_A5との間でユーザデータを送受信する事は、PDN_A5に配置された通信端末やサーバ装置とユーザデータを送受信する事であってもよい。なお、PDN_A5のことをDNと表現してもよいし、DNのことをPDN_A5と表現してもよい。
【００３４】
さらに、アクセスネットワークは、UE_A10及び/又はコアネットワークと接続した無線ネットワークの事である。アクセスネットワークは、3GPPアクセスネットワークでもよく、non-3GPPアクセスネットワークでもよい。なお、3GPPアクセスネットワークは、E-UTRAN(Evolved Universal Terrestrial Radio Access Network)_A80、UTRAN(Universal Terrestrial Radio Access Network)_A20、GERAN(GSM(登録商標) EDGE Radio Access Network)_A25でもよく、non-3GPPアクセスネットワークは、WLAN ANb75、WLAN ANa70、WLAN ANc125でもよい。なお、UE_A10はコアネットワークに接続する為に、アクセスネットワークに接続してもよく、アクセスネットワークを介してコアネットワークに接続してもよい。
【００３５】
さらに、コアネットワークは、アクセスネットワーク及び/又はPDN_A5と接続した移動体通信事業者(Mobile Network Operator)が運用するIP移動通信ネットワークの事である。コアネットワークは、移動通信システム1を運用、管理する移動通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。なお、コアネットワーク_A90は、EPS(Evolved Packet System)を構成するEPC(Evolved Packet Core)でもよい。逆に、EPCはコアネットワーク_A90であってもよい。さらに、コアネットワーク_A90は、LTE通信サービスを提供するシステムのコアネットワークでもよい。なお、コアネットワーク_A90は、これに限らず、モバイル通信サービスを提供するためのネットワークでもよい。
【００３６】
次に、コアネットワークの構成例を説明する。本実施形態ではコアネットワーク_A90の構成例を説明する。なお、コアネットワークは、コアネットワーク_A90でもよい。また、コアネットワーク_A90はEPCでもよい。
【００３７】
まず、図2にコアネットワーク_A90の構成の1例を示す。図2(a)のコアネットワーク_A90は、HSS(Home Subscriber Server)_A50、AAA(Authentication Authorization Accounting)_A55、PCRF(Policy and Charging Rules Function)_A60、PGW_A30、ePDG(enhanced Packet Data Gateway)_A65、SGW_A35、MME(Mobility Management Entity)_A40、SGSN(Serving GPRS Support Node)_A42、SCEF_A46により構成される。また、コアネットワーク_A90は、複数の無線アクセスネットワーク(E-UTRAN_A80、WLAN ANb75、WLAN ANa70、UTRAN_A20、GERAN_A25)に接続する事ができる。
【００３８】
無線アクセスネットワークは、複数の異なるアクセスネットワークに接続した構成でもよいし、いずれか1つのアクセスネットワークに接続した構成でもよい。さらに、UE_A10は無線アクセスネットワークに無線接続する事ができる。さらに、WLANアクセスシステムで接続可能なアクセスネットワークは、ePDG_A65を介してコアネットワークへ接続するWLANアクセスネットワークb(WLAN ANb75)、又はPGW_A30とPCRF_A60とAAA_A55とに接続するWLANアクセスネットワークa(WLAN ANa70)とによって構成する事が可能である。なお、各装置はEPSを利用した移動通信システムにおける従来の装置と同様に構成される為、詳細な説明は省略する。以下、各装置の簡単な説明をする。
【００３９】
PGW_A30は、PDN_A5とSGW_A35とePDG_A65とWLAN ANa70とPCRF_A60とAAA_A55とに接続されており、PDN_A5及び/又はDNとコアネットワーク_A90とのゲートウェイとしてユーザデータの転送を行う中継装置である。なお、PGW_A30は、IP通信及び/又はnon-IP通信の為のゲートウェイでもよい。さらに、PGW_A30は、IP通信を転送する機能を持っていてもよく、non-IP通信とIP通信を変換する機能を持っていてもよい。なお、こうしたゲートウェイはコアネットワーク_A90に複数配置されてよい。さらに複数配置されるゲートウェイは、コアネットワーク_A90と単一のDNを接続するゲートウェイでもよい。
【００４０】
なお、U-Plane(User Plane)とは、ユーザデータを送受信する為の通信路でもよく、複数のベアラで構成されてもよい。さらに、C-Plane(Control Plane)とは、制御メッセージを送受信する為の通信路でもよく、複数のベアラで構成されてもよい。
【００４１】
さらに、PGW_A30は、UPファンクションとPolicyファンクションとに接続されてもよいし、U-Planeを介してUE_A10と接続されてもよい。さらに、PGW_A30は、UPGW_A130と一緒に構成されてもよい。
【００４２】
SGW_A35は、PGW_A30とMME_A40とE-UTRAN_A80とSGSN_A42とUTRAN_A20とに接続されており、コアネットワーク_A90と3GPPのアクセスネットワーク(UTRAN_A20、GERAN_A25、E-UTRAN_A80)とのゲートウェイとしてユーザデータの転送を行う中継装置である。
【００４３】
さらに、SGW_A35は、アクセスネットワークとの接点を持ったユーザデータの転送を行うUPファンクションでもよく、アクセスネットワークとコアネットワークとの間でユーザデータを転送する為のゲートウェイであるUPGW(User Plane Gateway)_A130でもよい。
【００４４】
MME_A40は、SGW_A35とアクセスネットワークとHSS_A50とSCEF_A46とに接続されており、アクセスネットワークを経由してUE_A10のモビリティ管理を含む位置情報管理と、アクセス制御を行う制御装置である。さらに、MME_A40は、UE_A10が確立するセッションを管理するセッション管理装置としての機能を含んでもよい。また、コアネットワーク_A90には、こうした制御装置を複数配置してもよく、例えば、MME_A40とは異なる位置管理装置が構成されてもよい。MME_A40とは異なる位置管理装置は、MME_A40と同様に、SGW_A35とアクセスネットワークとSCEF_A46とHSS_A50と接続されてよい。
【００４５】
また、コアネットワーク_A90内に複数のMMEが含まれている場合、MME同士が接続されてもよい。これにより、MME間で、UE_A10のコンテキストの送受信が行われてもよい。このように、MME_A40は、UE_A10とモビリティ管理やセッション管理に関連する制御情報を送受信する管理装置であり、言い換えるとコントロールプレーン(Control Plane；C-Plane；CP)の制御装置であればよい。
【００４６】
さらに、MME_A40はコアネットワーク_A90に含まれて構成される例を説明したが、MME_A40は1又は複数のコアネットワーク又はDCN又はNSIに構成される管理装置でもよいし、1又は複数のコアネットワーク又はDCN又はNSIに接続される管理装置でもよい。ここで、複数のDCN又はNSIは単一の通信事業者によって運用されてもよいし、それぞれ異なる通信事業者によって運用されてもよい。
【００４７】
また、MME_A40は、コアネットワーク_A90とアクセスネットワークとの間のゲートウェイとしてユーザデータの転送を行う中継装置でもよい。なお、MME_A40がゲートウェイとなって送受信されるユーザデータは、スモールデータでもよい。
【００４８】
さらに、MME_A40は、UE_A10等のモビリティ管理の役割を担うNFでもよく、PDNコネクション等のセッション管理の役割を担うNFでもよく、1又は複数のNSIを管理するNFでもよい。また、MME_A40は、これらの1又は複数の役割を担うNFでよい。なお、NFは、コアネットワーク_A90内に1又は複数配置される装置でもよく、制御情報及び/又は制御メッセージの為のCPファンクション(以下、CPF（Control Plane Function）、又はControl Plane Network Functionとしても称される)でもよく、複数のネットワークスライス間で共有される共有CPファンクションでもよい。
【００４９】
ここで、NFとは、ネットワーク内に構成される処理機能である。つまり、NFは、MMEやSGWやPGWやCPFやUPGW等の機能装置でもよいし、MM(Mobility Management)やSM(Session Management)等の機能や能力capability情報でもよい。また、NFは、単一の機能を実現する為の機能装置でもよいし、複数の機能を実現する為の機能装置でもよい。例えば、MM機能を実現する為のNFと、SM機能を実現する為のNFとが別々に存在してもよいし、MM機能とSM機能との両方の機能を実現する為のNFが存在してもよい。
【００５０】
HSS_A50は、MME_A40とAAA_A55とSCEF_A46とに接続されており、加入者情報の管理を行う管理ノードである。HSS_A50の加入者情報は、例えばMME_A40のアクセス制御の際に参照される。さらに、HSS_A50は、MME_A40とは異なる位置管理装置と接続されていてもよい。
【００５１】
AAA_A55は、PGW30とHSS_A50とPCRF_A60とWLAN ANa70とに接続されており、WLAN ANa70を経由して接続するUE_A10のアクセス制御を行う。
【００５２】
PCRF_A60は、PGW_A30とWLAN ANa75とAAA_A55とPDN_A5とに接続されており、データ配送に対するQoS管理を行う。例えば、UE_A10とPDN_A5間の通信路のQoSの管理を行う。さらに、PCRF_A60は、各装置がユーザデータを送受信する際に用いるPCC(Policy and Charging Control)ルール、及び/又はルーティングルールを作成、及び/又は管理する装置でもよい。
【００５３】
また、PCRF_A60は、ポリシーを作成及び/又は管理するPolicyファンクションでもよい。より詳細には、PCRF_A60は、UPファンクションに接続されていてもよい。
【００５４】
ePDG_A65は、PGW30とWLAN ANb75とに接続されており、コアネットワーク_A90とWLAN ANb75とのゲートウェイとしてユーザデータの配送を行う。
【００５５】
SGSN_A42は、UTRAN_A20とGERAN_A25とSGW_A35とに接続されており、3G/2Gのアクセスネットワーク(UTRAN/GERAN)とLTEのアクセスネットワーク(E-UTRAN)との間の位置管理の為の制御装置である。さらに、SGSN_A42は、PGW及びSGWの選択機能、UE_A10のタイムゾーンの管理機能、及びE-UTRANへのハンドオーバー時のMME_A40の選択機能を持つ。
【００５６】
SCEF_A46は、PDN_A5とMME_A40とHSS_A50とに接続されており、PDN_A5及び/又はDNとコアネットワーク_A90とを繋ぐゲートウェイとしてユーザデータの転送を行う中継装置である。なお、SCEF_A46は、non-IP通信の為のゲートウェイでもよい。さらに、SCEF_A46は、non-IP通信とIP通信を変換する機能を持っていてもよい。また、こうしたゲートウェイはコアネットワーク_A90に複数配置されてよい。さらに、コアネットワーク_A90と単一のPDN_A5及び/又はDNを接続するゲートウェイも複数配置されてよい。なお、SCEF_A46はコアネットワークの外側に構成されてもよいし、内側に構成されてもよい。
【００５７】
また、図2(b)に示すように、各無線アクセスネットワークには、UE_A10が実際に接続される装置(例えば、基地局装置やアクセスポイント装置)等が含まれている。接続に用いられる装置は、無線アクセスネットワークに適応した装置が考えられる。
【００５８】
本実施形態においては、E-UTRAN_A80は、LTE(Long Term Evolution)のアクセスネットワークであり、eNB_A45を含んで構成される。eNB_A45はE-UTRA(Evolved Universal Terrestrial Radio Access)でUE_A10が接続する無線基地局であり、E-UTRAN_A80には1又は複数のeNB_A45が含まれて構成されてよい。また、複数のeNBは互いに接続してよい。
【００５９】
UTRAN_A20は、3Gのアクセスネットワークであり、RNC(Radio Network Controller)_A24とNB(Node B)_A22とを含んで構成される。NB_A22は、UTRA(Universal Terrestrial Radio Access)でUE_A10が接続する無線基地局であり、UTRAN_A20には1又は複数の無線基地局が含まれて構成されてよい。またRNC_A24は、コアネットワーク_A90とNB_A22とを接続する制御部であり、UTRAN_A20には1又は複数のRNCが含まれて構成されてよい。また、RNC_A24は1又は複数のNB_A22と接続されてよい。さらに、RNC_A24は、GERAN_A25に含まれる無線基地局(BSS(Base Station Subsystem)_A26)と接続されてよい。
【００６０】
GERAN_A25は、2Gのアクセスネットワークであり、BSS_A26を含んで構成される。BSS_A26は、GERA(GSM(登録商標)/EDGE Radio Access)でUE_A10が接続する無線基地局であり、GERAN_A25は1又は複数のBSS_A26で構成されてよい。また、複数のBSS_A26は互いに接続してよい。またBSS_A26はRNC_A24と接続してもよい。
【００６１】
WLAN ANa70は、無線LANアクセスネットワークであり、WLAN AP(Wireless Local Area Network Access Point)a72とTWAG(Trusted WLAN Access Gateway)_A74とが含まれて構成される。WLAN APa72は、コアネットワーク_A90を運営する事業者に対して信頼性のあるWLANアクセスシステムでUE_A10が接続する無線基地局であり、WLAN ANa70には1又は複数の無線基地局が含まれて構成されてよい。TWAG_A74は、コアネットワーク_A90とWLAN ANa70のゲートウェイである。また、WLAN APa72とTWAG_A74とは、単一の装置で構成されてもよい。コアネットワーク_A90を運営する事業者とWLAN ANa70を運営する事業者が異なる場合でも、事業者間の契約や規約によりこのような構成での実現が可能となる。
【００６２】
WLAN ANb75は、無線LANアクセスネットワークであり、WLAN APb76を含んで構成される。WLAN APb76は、コアネットワーク_A90を運営する事業者に対して信頼関係が結ばれていない場合に、WLANアクセスシステムでUE_A10が接続する無線基地局であり、WLAN ANb75には1又は複数の無線基地局が含まれて構成されてよい。このように、WLAN ANb75は、コアネットワーク_A90に含まれる装置であるePDG_A65をゲートウェイとしてコアネットワーク_A90に接続される。ePDG_A65は安全性を確保する為のセキュリティー機能を持つ。
【００６３】
[1.2.装置の構成]
以下、各装置の構成について説明する。
【００６４】
[1.2.1.UEの構成]
図3にUE_A10の装置構成を示す。図に示すように、UE_A10は、送受信部_A320と制御部_A300と記憶部_A340とで構成されている。送受信部_A320と記憶部_A340は、制御部_A300とバスを介して接続されている。
【００６５】
制御部_A300はUE_A10を制御する為の機能部である。制御部_A300は、記憶部_A340に記憶されている各種プログラムを読みだして実行する事により各種処理を実現する。
【００６６】
送受信部_A320は、UE_A10がアクセスネットワーク内の基地局及び/又はアクセスポイントに接続し、アクセスネットワークへ接続する為の機能部である。また、送受信部_A320には、外部アンテナ_A310が接続されている。言い換えると、送受信部_A320は、UE_A10がアクセスネットワーク内の基地局及び/又はアクセスポイントと接続する為の機能部である。さらに、送受信部_A320は、UE_A10が、アクセスネットワーク内の基地局及び/又はアクセスポイントから、ユーザデータ及び/又は制御情報を送受信する送受信機能部である。
【００６７】
記憶部_A340は、UE_A10の各動作に必要なプログラムやデータ等を記憶する機能部である。記憶部_A340は、例えば、半導体メモリや、HDD(Hard Disk Drive)等により構成されている。記憶部_A340は、少なくとも、後述する通信手続き内で送受信する制御メッセージに含まれる識別情報、及び/又は制御情報、及び/又はフラグ、及び/又はパラメータを記憶してもよい。記憶部_A340は、図に示すように、UEコンテキスト442を記憶する。以下、記憶部_A340で記憶される情報要素について説明する。なお、UEコンテキスト442は、コアネットワーク_A90に接続する際に用いるUEコンテキストと、コアネットワーク_B190に接続する際に用いるUEコンテキストとがあってもよい。さらに、コアネットワーク_A90に接続する際に用いるUEコンテキストと、コアネットワーク_B190に接続する際に用いるUEコンテキストとは、一緒に記憶されてもよいし、別々に記憶されてもよい。
【００６８】
[1.2.3.MMEの構成]
以下、MME_A40の構成について説明する。図4にMME_A40の装置構成を示す。図に示すように、MME_A40は、ネットワーク接続部_C720と制御部_C700と記憶部_C740で構成されている。ネットワーク接続部_C720と記憶部_C740は、制御部_C700とバスを介して接続されている。なお、これらの各部の機能は、物理的なハードウェア上で動作するものでもよいし、仮想的に汎用的なハードウェア上に構成された論理的なハードウェア上で動作するものでもよい。
【００６９】
制御部_C700はMME_A40を制御する為の機能部である。制御部_C700は、記憶部_C740に記憶されている各種プログラムを読みだして実行する事により各種処理を実現する。
【００７０】
ネットワーク接続部_C720は、MME_A40が、アクセスネットワーク内の基地局、及び/又はアクセスネットワーク内のアクセスポイント、及び/又はSCEF_A46、及び/又はHSS_A50及び/又はSGW_A35と接続する為の機能部である。さらに、ネットワーク接続部_C720は、MME_A40が、アクセスネットワーク内の基地局、及び/又はアクセスネットワーク内のアクセスポイント、及び/又はSCEF_A46、及び/又はHSS_A50、及び/又はSGW_A35と、ユーザデータ及び/又は制御情報を送受信する送受信部である。
【００７１】
記憶部_C740は、MME_A40の各動作に必要なプログラムや、データ等を記憶する機能部である。記憶部_C740は、例えば、半導体メモリやHDD等により構成されている。記憶部_C740は、少なくとも、後述する通信手続き内で送受信する制御メッセージに含まれる識別情報、及び/又は制御情報、及び/又はフラグ、及び/又はパラメータを記憶してもよい。
【００７２】
記憶部_C740は、図に示すように、MMEコンテキスト742を記憶する。以下、記憶部_C740で記憶される情報要素について説明する。なお、MMEコンテキストは、MME_A40が記憶コンテキストでもよい。
【００７３】
[1.3.本通信手続き例]
本通信手続きは、アタッチ手続き、及び/又はトラッキングエリア更新手続きと切り替え手続きから構成される。本通信手続きの説明を始める前に、まず、本通信手続き例で出てくる、定義と各識別情報の説明をする。
【００７４】
本実施形態におけるCIoT EPS optimizationは、スモールデータやSMS (Short Message Service) の効率的な通信をサポートする為の技術である。CIoT EPS optimizationには、control plane CIoT EPS optimizationとuser plane CIoT EPS optimizationがあってよい。
【００７５】
本実施形態におけるcontrol plane CIoT EPS optimizationは、コントロールプレーン (control plane) 上で、MMEを介したユーザデータの効率的な通信を可能とするためのシグナリング最適化 (signaling optimization) のための技術である。さらに、control plane CIoT EPS optimizationでは、IPデータの通信を行う場合は、ヘッダ圧縮 (header compression) 技術も使用可能である。
【００７６】
なお、UE_A10、及び/又はMME_A40が、control plane CIoT EPS optimizationをサポートしていることは、control plane CIoT EPS optimizationを用いたEPSサービス (EPS services) が使用されている際に用いられるサービスリクエスト手続きをサポートしていること、及び/又はコントロールプレーンを介したユーザデータの通信をサポートしていることを意味してもよい。さらに、control plane CIoT EPS optimizationの要求とは、コントロールプレーンを介したユーザデータの通信を要求することを意味してもよい。
【００７７】
本実施形態におけるuser plane CIoT EPS optimizationは、ユーザプレーン(user plane) 上で、ユーザデータの効率的な通信を可能とするためのシグナリング最適化(signaling optimization) のための技術である。
【００７８】
なお、UE_A10、及び/又はMME_A40が、user plane CIoT EPS optimizationをサポートしていることは、S1-Uを用いたデータ通信をサポートして、さらに、NAS (Non-Access Stratum) シグナリングのサスペンド、レジュームをサポートしていることを意味してもよい。
【００７９】
本実施形態における第1の識別情報は、UE_A10のcontrol plane CIoT EPS optimizationの要求を示す情報である。第1の識別情報は、PNB-CIoTビット (Preferred CIoT network behaviour) であってもよい。なお、PNB-CIoTビットは、control plane CIoT EPS optimizationを示すビットでもよいし、control plane CIoT EPS optimizationの要求を示すビットでもよい。さらに、PNB-CIoTビットは、追加更新タイプ情報要素 (Additional update type information element) を構成するビットでもよい。
【００８０】
本実施形態における第2の識別情報は、UE_A10がcontrol plane CIoT EPS optimizationをサポートすることを示す情報である。第2の識別情報は、CP CIoTビット (Control plane CIoT EPS optimization) であってもよい。なお、CP CIoTビットは、control plane CIoT EPS optimizationをサポートすることを示すビット (Control plane CIoT EPS optimization supported) でもよい。さらに、CP CIoTビットは、UEネットワーク能力情報要素 (UE network capability information element) を構成するビットでもよい。
【００８１】
本実施形態における第3の識別情報は、UE_A10がuser plane CIoT EPS optimizationをサポートすることを示す情報である。第3の識別情報は、UP CIoTビット (User plane CIoT EPS optimization) であってもよい。なお、UP CIoTビットは、user plane CIoT EPS optimizationをサポートすることを示すビット (User plane CIoT EPS optimization supported) でもよい。さらに、UP CIoTビットは、UEネットワーク能力情報要素 (UE network capability information element) を構成するビットでもよい。
【００８２】
本実施形態における第4の識別情報は、UE_A10がS1-Uを用いたデータ通信をサポートすることを示す情報である。第4の識別情報は、S1-U dataビット(S1-u data transfer) であってもよい。なお、S1-U dataビットは、S1-Uを用いたデータ通信をサポートすることを示すビット (S1-U data transfer supported) でもよい。さらに、S1-U dataビットは、UEネットワーク能力情報要素 (UE network capability information element) を構成するビットでもよい。
【００８３】
本実施形態における第5の識別情報は、ネットワーク、及び/又はMME_A40がcontrol plane CIoT EPS optimizationをサポートすることを示す情報である。第5の識別情報は、CP CIoTビット(Control plane CIoT EPS optimization) であってもよい。なお、CP CIoTビットは、control plane CIoT EPS optimizationをサポートすることを示すビット (Control plane CIoT EPS optimization supported) でもよい。さらに、CP CIoTビットは、EPSネットワーク機能サポート情報要素 (EPS network feature support information element を構成するビットでもよい。さらに、第5の識別情報は、ネットワーク、及び/又はMME_A40が、control plane CIoT EPS optimizationを受諾したことを示す情報でもよい。
【００８４】
本実施形態における第6の識別情報は、ネットワーク、及び/又はMME_A40がuser plane CIoT EPS optimizationをサポートすることを示す情報である。第6の識別情報は、UP CIoTビット(User plane CIoT EPS optimization) であってもよい。なお、UP CIoTビットは、user plane CIoT EPS optimizationをサポートすることを示すビット (User plane CIoT EPS optimization supported) でもよい。さらに、UP CIoTビットは、EPSネットワーク機能サポート情報要素 (EPS network feature support information element を構成するビットでもよい。さらに、第6の識別情報は、ネットワーク、及び/又はMME_A40が、user plane CIoT EPS optimizationを受諾したことを示す情報でもよい。
【００８５】
本実施形態における第7の識別情報は、ネットワーク、及び/又はMME_A40がS1-Uを用いたデータ通信をサポートすることを示す情報である。第7の識別情報は、S1-U dataビット (S1-u data transfer) であってもよい。なお、S1-U dataビットは、S1-Uを用いたデータ通信をサポートすることを示すビット (S1-U data transfer supported) でもよい。さらに、S1-U dataビットは、EPSネットワーク機能サポート情報要素(EPS network feature support information element を構成するビットでもよい。さらに、第7の識別情報は、ネットワーク、及び/又はMME_A40が、S1-Uを用いたデータ通信を受諾したことを示す情報でもよい。
【００８６】
さらに、第6の識別情報、及び/又は第7の識別情報は、ネットワーク、及び/又はMME_A40が切り替え手続きをサポートしていることを示す識別情報であってもよいし、切り替え手続きが実行可能であることを示す識別情報であってもよい。
【００８７】
本実施形態における第8の識別情報は、control plane CIoT EPS optimizationからuser plane CIoT EPS optimization又はS1-Uを用いたデータ通信への切り替えの要求を示すために用いる情報の一つである。第8の識別情報は、アクティブフラグ ("Active" flag) であってもよい。なお、アクティブフラグは、無線ベアラの確立が要求されていること (Radio bearer establishment requested) を示すビットでもよい。さらに、アクティブフラグは、コントロールプレーンサービスタイプ情報要素 (Control plane service type information element) を構成するビットでもよい。
【００８８】
本実施形態における第9の識別情報はcontrol plane CIoT EPS optimizationからuser plane CIoT EPS optimization又はS1-Uを用いたデータ通信への切り替えの要求を示すために用いる情報の一つである。第9の識別情報は、コントロールプレーンサービスタイプ値ビット (Control plane service type value) であってもよい。なお、コントロールプレーンサービスタイプ値ビットは、モバイル主導の要求 (mobile originating request) を示すビットでもよい。さらに、コントロールプレーンサービスタイプ値ビットは、コントロールプレーンサービスタイプ情報要素 (Control plane service type information element) を構成するビットでもよい。
【００８９】
本実施形態における第1の許可情報は、第1の通信手続きにおける切り替え手続きが許可されたことを示す情報である。第1の許可情報は、第1の通信手続きにおける切り替え手続きが実行可能であることを示す情報でもよいし、第1の通信手続きにおける切り替え手続きをサポートしていることを示す情報でもよい。なお、第1の許可情報は、第5の識別情報と第6の識別情報と第7の識別情報とを組み合わせた情報であってよいし、第6の識別情報と第7の識別情報とを組み合わせた情報であってもよい。
【００９０】
本実施形態における第2の許可情報は、第2の通信手続きにおける切り替え手続きが許可されたことを示す情報である。第2の許可情報は、第2の通信手続きにおける切り替え手続きが実行可能であることを示す情報でもよいし、第2の通信手続きにおける切り替え手続きをサポートしていることを示す情報でもよい。なお、第2の許可情報は、第5の識別情報と第6の識別情報とを組み合わせた情報、又は第5の識別情報と第6の識別情報と第7の識別情報とを組み合わせた情報であってよいし、第6の識別情報、又は第6の識別情報と第7の識別情報とを組み合わせた情報であってもよい。
【００９１】
本実施形態における第3の許可情報は、第3の通信手続きにおける切り替え手続きが許可されたことを示す情報である。第3の許可情報は、第3の通信手続きにおける切り替え手続きが実行可能であることを示す情報でもよいし、第3の通信手続きにおける切り替え手続きをサポートしていることを示す情報でもよい。なお、第3の許可情報は、第5の識別情報と第7の識別情報とを組み合わせた情報であってよいし、第7の識別情報であってもよい。
【００９２】
なお、本通信手続きには、第1の通信手続き、第2の通信手続き、第3の通信手続きがあってよい。
【００９３】
[1.3.1.第1の通信手続き例]
第1の通信手続きは、アタッチ手続き、及び/又はトラッキングエリア更新手続き後に、UE_A10が主導してcontrol plane CIoT EPS optimizationからuser plane CIoT EPS optimization又はS1-Uを用いたデータ通信に切り替える場合の手続きである。
【００９４】
図5を用いて、第1の通信手続きの各ステップを説明する。第1の通信手続き例において、UE_A10は、まず、コアネットワーク_A90に対してアタッチ手続きを実行する(S500)。次に、UE_A10は、トラッキングエリア更新手続きを実行する(S502)。その次に、UE_A10は、切り替え手続きを実行する(S504)。なお、UE_A10は、トラッキングエリア更新手続きを実行せずに、切り替え手続きを実行してもよい。
【００９５】
なお、UE_A10は、アタッチ手続きの完了に基づいて、ネットワークに接続した状態に遷移してもよい。さらに、UE_A10、及び/又はMME_A40は、アタッチ手続き、及び/又はトラッキングエリア更新手続きの完了に基づいて、control plane CIoT EPS Optimizationを実行してもよいし、control plane CIoT EPS Optimizationを用いたEPSサービスを実行してもよい。さらに、UE_A10は、アタッチ手続き、及び/又はトラッキングエリア更新手続きの完了に基づいて、第1の通信手続きにおける切り替え手続きが実行可能だと判断してもよいし、第1の通信手続きにおける切り替え手続きを実行してもよい。それに限らず、UE_A10は、後に説明する条件に基づいて第1の通信手続きにおける切り替え手続きを実行してもよい。
【００９６】
さらに、UE_A10、及び/又はMME_A40は、の完了に基づいて、使用しているEPSサービスをcontrol plane CIoT EPS optimizationを用いたEPSサービスからuser plane CIoT EPS optimizationを用いたEPSサービスに切り替えてもよいし、control plane CIoT EPS optimizationを用いたEPSサービスからS1-Uを用いたデータ通信が実行可能な従来のEPSサービスに切り替えてもよい。なお、UE_A10、及び/又はMME_A40は、完了に基づいて、第1の通信手続きを完了する。
【００９７】
[1.3.1.1.アタッチ手続き例]
まず、アタッチ手続きの概要について説明する。本アタッチ手続きは、UE_A10が主導してネットワーク(アクセスネットワーク、及び/又はコアネットワーク_A90、及び/又はPDN_A5)へ接続する為の手続きである。UE_A10は、コアネットワーク_A90に接続していない状態であれば、端末電源投入時等の任意のタイミングで本アタッチ手続きを実行する事ができる。言い換えると、UE_A10は、登録されていない状態(EMM-DEREGISTERED)であれば任意のタイミングで本アタッチ手続きを開始してもよい。また、UE_A10、及び/又はMME_A40は、アタッチ手続き完了に基づいて、登録状態(EMM-REGISTERED)に遷移してもよい。
【００９８】
以下、図6を用いて、本アタッチ手続きの各ステップについて説明する。まず、UE_A10は、eNB_A45を介してMME_A40にアタッチ要求(Attach request)メッセージを送信し(S600)、アタッチ手続きを開始する。
【００９９】
ここで、UE_A10は、アタッチ要求メッセージに、少なくとも第1の識別情報、及び/又は第2の識別情報、及び/又は第3の識別情報、及び/又は第4の識別情報を含めてもよいし、これらの識別情報を含める事で、UE_A10の要求を示してもよい。
【０１００】
さらに、UE_A10は、control plane CIoT EPS optimizationの要求を示す場合、第1の識別情報を送信してもよい。さらに、UE_A10は、control plane CIoT EPS optimizationをサポートしている場合、第2の識別情報を送信してもよい。
【０１０１】
さらに、UE_A10は、第1の識別情報、及び/又は第2の識別情報を送信することで、control plane CIoT EPS optimizationを、サポートしていることを示してもよいし、要求することを示してもよい。
【０１０２】
さらに、UE_A10は、user plane CIoT EPS optimizationをサポートしている場合、第3の識別情報を送信してもよいし、第3の識別情報を送信することでUE_A10が前記の内容をサポートしていることを示してもよい。
【０１０３】
さらに、UE_A10は、S1-Uを用いたデータ通信をサポートしている場合、第4の識別情報を送信してもよいし、第4の識別情報を送信することでUE_A10が前記の内容をサポートしていることを示してもよい。
【０１０４】
さらに、UE_A10は、第1の通信手続きにおける切り替え手続きをサポートしている場合、第1の識別情報と第2の識別情報と共に第3の識別情報、及び/又は第4の識別情報を送信してもよいし、これらの識別情報を送信することでUE_A10が第1の通信手続きにおける切り替え手続きをサポートしていること、及び/又はアタッチ手続き又はトラッキングエリア更新手続きの後に第1の通信手続きにおける切り替え手続きを実行可能とする要求であることを示してもよい。
【０１０５】
もしくは、UE_A10は、第1の識別情報及び又は第2の識別情報の送信に加え、第3の識別情報及び/又は第4の識別情報を送信することにより、第1の通信手続きにおける切り替え手続きをサポートしていること、及び/又はアタッチ手続き又はトラッキングエリア更新手続きの後に第1の通信手続きにおける切り替え手続きを実行可能とする要求であることを示してもよい。したがって、この場合における第3の識別情報、及び/又は第4の識別情報は、第1の通信手続きにおける切り替え手続きをサポートしていること、及び/又はアタッチ手続き又はトラッキングエリア更新手続きの後に第1の通信手続きにおける切り替え手続きを実行可能とする要求を示す識別情報として用いられてよい。
【０１０６】
例えば、UE_A10はPNB-CIoTビットが示すCIoT EPS optimizationとは異なる、他のCIoT EPS optimization、又はS1-Uを用いたデータ通信をサポートすること示す情報を送信することにより、第1の通信手続きにおける切り替え手続きをサポートしていること、及び/又はアタッチ手続き又はトラッキングエリア更新手続きの後に第1の通信手続きにおける切り替え手続きを実行可能とする要求であることを示してもよい。言い換えると、PNB-CIoTビットが示すCIoT EPS optimizationとは異なる、他のCIoT EPS optimization、又はS1-Uを用いたデータ通信をサポートする情報は、第1の通信手続きにおける切り替え手続きをサポートしていること、及び/又はアタッチ手続き又はトラッキングエリア更新手続きの後に第1の通信手続きにおける切り替え手続きを実行可能とする要求を示す識別情報として用いられてよい。なお、PNB-CIoTビットが示すCIoT EPS optimizationとは異なる、他のCIoT EPS optimizationとは、PNB-CIoTビットが示すCIoT EPS optimizationとは異なるタイプのCIoT EPS optimizationであってもよいし、PNB-CIoTビットでは示されていないCIoT EPS optimizationであってもよい。
【０１０７】
なお、UE_A10は、これらの識別情報を、アタッチ要求メッセージとは異なる制御メッセージに含めて送信してもよい。例えば、UE_A10は、ESM(EPS Session Management)情報要求メッセージへの応答メッセージであるESM情報応答メッセージ(S601)に、これらの識別情報を含めて送信してもよい。
【０１０８】
MME_A40は、アタッチ要求メッセージ及び/又はESM情報応答メッセージを受信する。MME_A40は、アタッチ要求メッセージ及び/又はESM情報応答メッセージの受信に基づいて、アタッチ要求メッセージ及び/又はESM情報応答メッセージに含まれる識別情報を受信してもよい。さらに、MME_A40は、アタッチ要求メッセージ及び/又はESM情報応答メッセージの受信に基づいて、eNB_A45を介してUE_A10にアタッチ受諾(Attach accept)メッセージを送信する(S602)。
【０１０９】
ここで、MME_A40は、アタッチ受諾メッセージに、少なくとも第5の識別情報、及び/又は第6の識別情報、及び/又は第7の識別情報を含めてもよいし、これらの識別情報を含める事で、UE_A10の要求が受諾されたことを示してもよい。
【０１１０】
さらに、MME_A40は、UE_A10のcontrol plane CIoT EPS optimizationの要求を受諾する場合、第5の識別情報を送信してもよい。さらに、MME_A40は、ネットワーク、及び又はMME_A40がcontrol plane CIoT EPS optimizationをサポートしている場合、第5の識別情報を送信してもよい。
【０１１１】
さらに、MME_A40は、第1の識別情報、及び/又は第2の識別情報を受信し、さらに、ネットワーク、及び又はMME_A40が、control plane CIoT EPS optimizationをサポートしている、及び/又control plane CIoT EPS optimizationの要求を受諾する場合、第5の識別情報を送信してもよい。
【０１１２】
さらに、MME_A40は、第5の識別情報を送信することで、control plane CIoT EPS optimizationを、ネットワーク、及び又はMME_A40が、サポートしていることを示してもよいし、UE_A10のcontrol plane CIoT EPS optimizationの要求を受諾したことを示してもよい。
【０１１３】
さらに、MME_A40は、ネットワーク、及び又はMME_A40がuser plane CIoT EPS optimizationをサポートしている場合、第6の識別情報を送信してもよいし、これらの識別情報を送信することでネットワーク、及び又はMME_A40が前記の内容をサポートしていることを示してもよい。
【０１１４】
さらに、MME_A40は、ネットワーク、及び又はMME_A40がS1-Uを用いたデータ通信をサポートしている場合、第7の識別情報を送信してもよいし、これらの識別情報を送信することでネットワーク、及び又はMME_A40が前記の内容をサポートしていることを示してもよい。
【０１１５】
さらに、MME_A40は、第1の識別情報、及び/又は第2の識別情報と共に第3の識別情報、及び/又は第4の識別情報を受信し、さらに、ネットワーク、及び又はMME_A40が第1の通信手続きにおける切り替え手続きをサポートしている場合、第5の識別情報と共に第6の識別情報、及び/又は第7の識別情報を送信してもよいし、これらの識別情報を送信することでネットワーク、及び又はMME_A40が第1の通信手続きにおける切り替え手続きをサポートしていることを示してもよいし、アタッチ手続き又はトラッキングエリア更新手続きの後に第1の通信手続きにおける切り替え手続きを実行可能とする要求が受諾されたことを示してもよい。
【０１１６】
もしくは、MME_A40は、上記の場合、第5の識別情報の送信に加え、第6の識別情報及び/又は第7の識別情報を送信することにより、ネットワーク、及び又はMME_A40が第1の通信手続きにおける切り替え手続きをサポートしていること、及び/又はアタッチ手続き又はトラッキングエリア更新手続きの後に第1の通信手続きにおける切り替え手続きを実行可能とする要求が受諾されたであることを示してもよい。したがって、この場合における第6の識別情報、及び/又は第7の識別情報は、ネットワーク、及び又はMME_A40が第1の通信手続きにおける切り替え手続きをサポートしていること、及び/又はアタッチ手続き又はトラッキングエリア更新手続きの後に第1の通信手続きにおける切り替え手続きを実行可能とする要求が受諾されたことを示す識別情報として用いられてよい。
【０１１７】
例えば、MME_A40は、受信したPNB-CIoTビットが示すCIoT EPS optimizationとは異なる、他のCIoT EPS optimization、又はS1-Uを用いたデータ通信をサポートすること示す情報を送信することにより、ネットワーク、及び又はMME_A40が第1の通信手続きにおける切り替え手続きをサポートしていること、及び/又はアタッチ手続き又はトラッキングエリア更新手続きの後に第1の通信手続きにおける切り替え手続きを実行可能とする要求が受諾されたことを示してもよい。言い換えると、受信したPNB-CIoTビットが示すCIoT EPS optimizationとは異なる、他のCIoT EPS optimization、又はS1-Uを用いたデータ通信をサポートする情報は、ネットワーク、及び又はMME_A40が第1の通信手続きにおける切り替え手続きをサポートしていること、及び/又はアタッチ手続き又はトラッキングエリア更新手続きの後に第1の通信手続きにおける切り替え手続きを実行可能とする要求が受諾されたことを示す識別情報として用いられてよい。
【０１１８】
さらに、MME_A40は、上記の場合、上述した識別情報を第1の許可情報として送信してもよいし、上述した識別情報を送信することで第1の許可情報を送信したと認識してもよい。
【０１１９】
さらに、MME_A40は、UE_A10が、アタッチ手続きにおいてPDNコネクションの確立を要求する場合、PDNコネクションの確立を許可しもよい。その際には、MME_A40は、アタッチ受諾メッセージと共に、デフォルトEPSベアラコンテキストアクティブ化要求 (ACTIVATE DEFAULT EPS BEARER CONTEXT REQUEST) メッセージを送信してもよい。さらに、MME_A40は、確立するPDNコネクション対して、control plane CIoT EPS optimization onlyとするPDNコネクションを確立するか、ユーザプレーンへの切り替えを許容するPDNコネクションを確立するかを決定してもよい。
【０１２０】
一方で、MME_A40は、アタッチ要求メッセージによって第1の識別情報及び第2の識別情報に加え、第3の識別情報、及び/又は第4の識別情報を受信し、且つ、ネットワークにおいてcontrol plane CIoT EPS optimizationとuser plane CIoT EPS optimizationをサポートしている場合でも、UE_A10の切り替え手続きを実行可能とする要求を不許可と判断してもよい。なお、MME_A40における判断は、オペレータポリシー、及び/又は加入者情報等に基づいて決定してもよい。さらに、MME_A40は、UE_A10の要求を不許可と判断した場合、第5から7の識別情報の示すネットワーク能力情報のうち、第6の識別情報と第7の識別情報とを含めずに、第5の識別情報のみを含めてアタッチ受諾メッセージをUE_A10に送信してもよい。さらに、MME_A40は、UE_A10の要求を不許可と判断した場合、第5の識別情報に加えて、user plane CIoT EPS optimizationをサポートしないことを示す第6の識別情報、及び/又は、S1-Uを用いたデータ通信をサポートしないことを示す第7の識別情報を含めてアタッチ受諾メッセージをUE_A10に送信してもよい。
【０１２１】
さらに、UE_A10の要求に基づいて、アタッチ手続きにおいてPDNコネクションを確立する場合には、MME_A40は、アタッチ受諾メッセージと共に、デフォルトEPSベアラコンテキストアクティブ化要求メッセージにControl plane only indication IEを含めて送信してもよい。
【０１２２】
上述したアタッチ受諾メッセージの送信、及び/又はデフォルトEPSベアラコンテキストアクティブ化要求メッセージの送信に基づいて、MME_A40は、UE_A10に対して、UE_A10の切り替え手続きを実行可能とする要求を不許可とすることを通知してもよい。
【０１２３】
ここで、control plane CIoT EPS optimization onlyとするPDNコネクションとは、control plane CIoT EPS optimizationに基づいたユーザデータ送受信のみが許されるPDNコネクションである。ユーザプレーンへの切り替えを許容するPDNコネクションとは、control plane CIoT EPS optimizationに基づいたユーザデータ送受信が許されるPDNコネクションであり、且つユーザプレーンの通信路への切り替えが許されるPDNコネクションである。
【０１２４】
言い換えると、ユーザプレーンへの切り替えを許容するPDNコネクションとは、user plane CIoT EPS optimizationを実行可能なPDNコネクションの通信路への切り替えが可能なPDNコネクションであってよい。もしくは、CIoT EPS Optimizationを実行しない従来のPDNコネクションの通信路への切り替えが可能なPDNコネクションであってよい。もしくは、第1〜3のいずれかの切り替え手続きが実行可能なPDNコネクションであってよい。
【０１２５】
さらに、MME_A40は、control plane CIoT EPS optimization onlyとするPDNコネクションを確立することを許容した場合には、送信するデフォルトEPSベアラコンテキストアクティブ化要求メッセージにControl plane only indication情報要素を含めることで、確立するPDNコネクションがcontrol plane CIoT EPS optimizationのみの用途に用いられるコネクションであることをUE_A10に通知する。また、ユーザプレーンへの切り替えを許容するPDNコネクションの確立を許可する場合には、MME_A40は、送信するデフォルトEPSベアラコンテキストアクティブ化要求メッセージにControl plane only indication情報要素を含めないことにより、確立するPDNコネクションがユーザプレーンへの切り替えを許容するPDNコネクションであることをUE_A10に通知する。
【０１２６】
UE_A10は、アタッチ受諾メッセージを受信する。UE_A10は、アタッチ受諾メッセージの受信に基づいて、アタッチ受諾メッセージに含まれる識別情報を受信してもよい。さらに、UE_A10は、アタッチ受諾メッセージの受信に基づいて、eNB_A45を介してMME_A40にアタッチ完了メッセージを送信する(S604)。さらに、MME_A40はアタッチ完了メッセージを受信する。UE_A10、及び/又はMME_A40は、アタッチ完了メッセージの送受信に基づいて、アタッチ手続きを完了する。_  UE_A10は、アタッチ手続きの完了に基づいて、UE_A10がネットワークに接続した状態及び/又は登録状態に遷移してもよい。
【０１２７】
さらに、UE_A10は、アタッチ手続きの完了に基づいて、control plane CIoT EPS optimizationが使用可能であることを検出、認識してもよいし、control plane CIoT EPS optimizationを使用してもよい。
【０１２８】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０１２９】
以上のアタッチアタッチ手続きにより、UE_A10は、control plane CIoT EPS optimizationを使用可能であるPDNコネクションを確立してもよい。さらに、UE_A10は、確立したPDNコネクションの種類を検出、認識してもよい。
【０１３０】
UE_A10は、第6の識別情報、及び/又は第7の識別情報を受信した場合、ネットワーク、及び/又はMME_A40が第1の通信手続きにおける切り替え手続きをサポートしていることを検出、認証してもよいし、UE_A10が第1の通信手続きにおける切り替え手続きを実行可能であることを検出、認識してもよい。
【０１３１】
より詳細には、UE_A10は、少なくとも第1の識別情報、及び/又は第2の識別情報をアタッチ要求メッセージに含めて送信し、さらに、第5の識別情報と共に第6の識別情報、及び/又は第7の識別情報を受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。さらに、この場合、UE_A10は、第6の識別情報、及び/又は第7の識別情報を、第1の通信手続きにおける切り替え手続きが実行可能であることを示す情報であると検出、認識してもよい。さらに、この場合、UE_A10は、第1の許可情報を受信したと検出、認識してもよい。
【０１３２】
言い換えると、UE_A10は、アタッチ要求メッセージで要求したCIoT EPS optimizationとは異なるCIoT EPS optimizationのサポート情報を、アタッチ受諾メッセージで受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。さらに、この場合、UE_A10は、アタッチ要求メッセージで要求したCIoT EPS optimizationとは異なるCIoT EPS optimizationのサポート情報を、第1の通信手続きにおける切り替え手続きが実行可能であることを示す情報であると検出、認識してもよい。さらに、この場合、UE_A10は、第1の許可情報を受信したと検出、認識してもよい。
【０１３３】
さらに、UE_A10は、第1の許可情報を受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。
【０１３４】
[1.3.1.2.トラッキングエリア更新手続き例]
まず、トラッキングエリア更新手続き(Tracking Area Update Procedure)の概要について説明する。本トラッキングエリア更新手続きは、ネットワークにおけるUE_A10の位置登録情報を更新する、及び/又は、UE_A10からネットワークへ定期的にUE_A10の状態を通知する、及び/又は、ネットワークにおけるUE_A10に関する特定のパラメータ、及び/又は識別子を更新する為の手続きである。さらに、UE_A10は、本トラッキングエリア更新手続きを実行することで、UE_A10におけるネットワークに関する特定のパラメータ、及び/又は識別子を更新ことができる。
【０１３５】
なお、UE_A10は、登録状態であれば、任意のタイミングで本トラッキングエリア更新手続きを実行する事ができる。また、UE_A10は、本トラッキングエリア更新手続きを定期的に実行する事ができる。
【０１３６】
以下、図7を用いて、本トラッキングエリア更新手続きの各ステップについて説明する。まず、UE_A10は、eNB_A45を介してMME_A40にトラッキングエリア更新要求(Tracking Area Update request)メッセージを送信し(S700)、トラッキングエリア更新手続きを開始する。
【０１３７】
ここで、UE_A10は、トラッキングエリア更新要求メッセージに、少なくとも第1の識別情報、及び/又は第2の識別情報、及び/又は第3の識別情報、及び/又は第4の識別情報を含めてもよいし、これらの識別情報を含める事で、UE_A10の要求を示してもよい。
【０１３８】
なお、UE_A10が、トラッキングエリア更新要求メッセージにおいて、各識別情報を送信する条件、及び各識別情報を送信することで示す内容は、アタッチ要求メッセージにおける、各識別情報を送信する条件、及び各識別情報を送信することで示す内容と同じであってよい。
【０１３９】
MME_A40は、トラッキングエリア更新要求メッセージを受信する。MME_A40は、トラッキングエリア更新要求メッセージの受信に基づいて、トラッキングエリア更新要求メッセージに含まれる識別情報を受信してもよい。さらに、MME_A40は、トラッキングエリア更新要求メッセージの受信に基づいて、eNB_A45を介してUE_A10にトラッキングエリア更新受諾(Tracking Area Update accept)メッセージを送信する(S702)。
【０１４０】
ここで、MME_A40は、トラッキングエリア更新受諾メッセージに、少なくとも第5の識別情報、及び/又は第6の識別情報、及び/又は第7の識別情報を含めてもよいし、これらの識別情報を含める事で、UE_A10の要求が受諾されたことを示してもよい。
【０１４１】
なお、MME_A40が、トラッキングエリア更新受諾メッセージにおいて、各識別情報を送信する条件、及び各識別情報を送信することで示す内容は、アタッチ受諾メッセージにおける、各識別情報を送信する条件、及び各識別情報を送信することで示す内容と同じであってよい。
【０１４２】
UE_A10は、トラッキングエリア更新受諾メッセージを受信する。UE_A10は、トラッキングエリア更新受諾メッセージの受信に基づいて、トラッキングエリア更新受諾メッセージに含まれる識別情報を受信してもよい。さらに、UE_A10は、トラッキングエリア更新受諾メッセージの受信に基づいて、eNB_A45を介してMME_A40にトラッキングエリア更新完了メッセージを送信してもよい(S704)。さらに、MME_A40はトラッキングエリア更新完了メッセージを受信してもよい。UE_A10、及び/又はMME_A40は、トラッキングエリア更新完了メッセージ、及び/又はトラッキングエリア更新受諾メッセージの送受信に基づいて、トラッキングエリア更新手続きを完了する。_  UE_A10は、トラッキングエリア更新手続きの完了に基づいて、UE_A10がネットワークに接続した状態及び/又は登録状態に遷移してもよい。
【０１４３】
さらに、UE_A10は、トラッキングエリア更新手続きの完了に基づいて、control plane CIoT EPS optimizationが使用可能であることを検出、認識してもよいし、control plane CIoT EPS optimizationを使用してもよい。
【０１４４】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０１４５】
UE_A10は、第6の識別情報、及び/又は第7の識別情報を受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。
【０１４６】
より詳細には、UE_A10は、少なくとも第1の識別情報、及び/又は第2の識別情報をトラッキングエリア更新要求メッセージに含めて送信し、さらに、/第5の識別情報と共に第6の識別情報、及び/又は第7の識別情報を受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。さらに、この場合、UE_A10は、第6の識別情報、及び/又は第7の識別情報を、第1の通信手続きにおける切り替え手続きが実行可能であることを示す情報であると、検出、認識してもよい。さらに、この場合、UE_A10は、第1の許可情報を受信したと検出、認識してもよい。
【０１４７】
言い換えると、UE_A10は、トラッキングエリア更新要求メッセージで要求したCIoT EPS optimizationとは異なるCIoT EPS optimizationのサポート情報を、トラッキングエリア更新受諾メッセージで受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。さらに、この場合、UE_A10は、トラッキングエリア更新要求メッセージで要求したCIoT EPS optimizationとは異なるCIoT EPS optimizationのサポート情報を、第1の通信手続きにおける切り替え手続きが実行可能であることを示す情報であると検出、認識してもよい。さらに、この場合、UE_A10は、第1の許可情報を受信したと検出、認識してもよい。
【０１４８】
さらに、UE_A10は、第1の許可情報を受信した場合、ネットワーク、及び又はMME_A40が第1の通信手続きにおける切り替え手続きをサポートしていることを検出、認証してもよいし、UE_A10が第1の通信手続きにおける切り替え手続きを実行可能であることを検出、認識してもよい。
【０１４９】
[1.3.1.3.切り替え手続き例]
まず、第1の通信手続きにおける切り替え手続きの概要について説明する。第1の通信手続きにおける切り替え手続きは、UE_A10が主導してcontrol plane CIoT EPS optimizationからuser plane CIoT EPS optimization又はS1-Uを用いたデータ通信に切り替える手続きである。言い換えると、第1の通信手続きにおける切り替え手続きは、control plane CIoT EPS optimizationを使用している状態で、一又複数の、S1-Uベアラ、及び/又はユーザプレーン無線ベアラ (user plane radio bearer) を確立するための手続きであってもよい。さらに、第1の通信手続きにおける切り替え手続きは、前記目的を達成するサービス要求 (Service Request) 手続きであってもよい。より詳細には、第1の通信手続きにおける切り替え手続きは、MME_A40が、一又複数の、S1-Uベアラ、及び/又はユーザプレーン無線ベアラの確立を始めるためのサービス要求手続きであってもよい。
【０１５０】
第1の通信手続きにおける切り替え手続きは、アタッチ手続き、及び/又はトラッキングエリア更新手続きで受信した識別情報に基づいて、実行可能となってよい。言い換えると、UE_A10は、アタッチ手続き、及び/又はトラッキングエリア更新手続きで第1の通信手続きにおける切り替え手続きが実行可能であることを示す情報を受信した場合、第1の通信手続きにおける切り替え手続きが実行可能な状態である。
【０１５１】
より詳細には、UE_A10は、アタッチ要求メッセージ、及び/又はトラッキングエリア更新要求メッセージで、第1の識別情報、及び/又は第2の識別情報を送信し、さらに、第5の識別情報と共に第6の識別情報、及び/又は第7の識別情報を受信した場合、第1の通信手続きにおける切り替え手続きが実行可能な状態である。さらに、UE_A10は、第1の許可情報を受信した場合、及び/又は、第1の許可情報を受信したと認識した場合を、第1の通信手続きにおける切り替え手続きが実行可能な状態であるとしてよい。
【０１５２】
もしくは、第1の判断が真となる場合には、第1の通信手続きにおける切り替え手続きが実行可能であると判断してもよい。さらに、この場合を第1の通信手続きにおける切り替え手続きが実行可能な状態であるとしてもよい。また、第1の判断が偽となる場合には、第1の通信手続きにおける切り替え手続きが実行できない、又は第1の通信手続きにおける切り替え手続きの実行が禁止されていると判断し、第1の通信手続きにおける切り替え手続きを実行しないよう設定してもよい。
【０１５３】
ここで、第1の判断とは、少なくとも一つ以上のPDNコネクションが確立されており、さらに、少なくとも一つのPDNコネクションがユーザプレーンへの切り替えを許容するPDNコネクションである場合、真とする。一方で、少なくとも一つ以上のPDNコネクションが確立されており、さらに、全てのPDNコネクションに対してユーザプレーンへの切り替えが許容されていない場合、つまり、control plane CIoT EPS optimization onlyとするPDNコネクションである場合、偽とする。
【０１５４】
なお、第1の判断を行うタイミングは、アタッチ手続きが完了していればよい。さらに、UE_A10は、アタッチ時に確立したPDNコネクションに加え、その他複数のPDNコネクションを確立していてもよい。なお、UE_A10がアタッチ手続きで完了するPDNコネクション以外に確立する複数のPDNコネクションには、SECF PDNコネクションが含まれていてもよい。さらに、一又は複数のPDNコネクションが含まれていてもよい。
【０１５５】
なお、アタッチ手続きで確立するユーザプレーンへの切り替えを許容するPDNコネクションである場合、これら複数のPDNコネクションは、ユーザプレーンへの切り替えが許容されていてもよい。この場合、SECF PDNコネクションのみが、control plane CIoT EPS optimizationのみの用途に用いられるコネクションであってよい。
【０１５６】
また、アタッチ手続きで完了するPDNコネクションがユーザプレーンへの切り替えが許容されていない場合、つまり、control plane CIoT EPS optimization onlyとするPDNコネクションである場合、これら複数のPDNコネクションは、切り替えが許容されていない、control plane CIoT EPS optimizationのみの用途に用いられるPDNコネクションであってよい。
【０１５７】
また、UE_A10は、第1の許可情報と第1の判断を組み合わせて、第1の通信手続きにおける切り替え手続きが実行可能であると判断してもよい。例えば、第1の許可情報を受信し、且つ第1の判断が真の場合、第1の通信手続きにおける切り替え手続きが実行可能であると判断してもよい。さらに、この場合を第1の通信手続きにおける切り替え手続きが実行可能な状態であるとしてもよい。さらに、第1の許可情報の内の一部又は全てを受信していない、または、第1の判断が偽である場合、切替え手続きの実行ができない、又は禁止されていると判断してもよい。
【０１５８】
さらに、第1の通信手続きにおける切り替え手続きが開始されるタイミングは、UE_A10が、control plane CIoT EPS optimizationを使用していて、ユーザプレーン無線ベアラ、及び/又はS1-Uを介して送受信すべきユーザデータを保持していて、さらに、第1の通信手続きにおける切り替え手続きが実行可能な状態である場合であってよい。
【０１５９】
言い換えると、UE_A10は、コネクテッドモード (EMM-CONNECTED) であり、さらに、control plane CIoT EPS optimizationを用いたEPSサービスで使用するためのNASシグナリングコネクションしか確立していない状態で、ユーザプレーン無線ベアラ、及び/又はS1-Uを介して送受信すべきユーザデータを保持していて、さらに、第1の通信手続きにおける切り替え手続きが実行可能な状態である場合、第1の通信手続きにおける切り替え手続きを実行してもよい。
【０１６０】
さらに、UE_A10は、アイドルモード (EMM-IDLE) であり、ユーザプレーン無線ベアラ、及び/又はS1-Uを介して送受信すべきユーザデータを保持していて、さらに、第1の通信手続きにおける切り替え手続きが実行可能な状態である場合、第1の通信手続きにおける切り替え手続きを実行してもよい。
【０１６１】
なお、第1の通信手続きにおける切り替え手続きが開始されるタイミングは、これらに限らず、UE_A10が、第1の通信手続きにおける切り替え手続きが実行可能な状態であれば、任意のタイミングであってもよい。
【０１６２】
UE_A10は、第1の通信手続きにおける切り替え手続きの完了に基づいて、control plane CIoT EPS optimizationからuser plane CIoT EPS optimization又はS1-Uを用いたデータ通信に切り替えてもよいし、control plane CIoT EPS optimizationを使用している状態で、一又複数の、S1-Uベアラ、及び/又はユーザプレーン無線ベアラを確立してもよい。
【０１６３】
以下、図8を用いて、第1の通信手続きにおける切り替え手続きの各ステップについて説明する。まず、UE_A10は、eNB_A45を介してMME_A40にコントロールプレーンサービス要求 (Control Plane Service Request) メッセージを送信し(S800)、第1の通信手続きにおける切り替え手続きを開始する。
【０１６４】
ここで、UE_A10は、コントロールプレーンサービス要求メッセージに、少なくとも第8の識別情報、及び/又は第9の識別情報を含めてもよいし、これらの識別情報を含める事で、本コントロールプレーンサービス要求メッセージが第1の通信手続きにおける切り替え手続きの為のメッセージであることを示してもよい。
【０１６５】
言い換えると、UE_A10は、第8の識別情報、及び/又は第9の識別情報を含めたコントロールプレーンサービス要求メッセージを送信することにより、第1の通信手続きにおける切り替え手続きを開始する。なお、第1の通信手続きにおける切り替え手続きが実行可能な状態の場合にのみ、UE_A10は、第8の識別情報、及び/又は第9の識別情報を含めたコントロールプレーンサービス要求メッセージを送信することができる。言い換えると、第1の通信手続きにおける切り替え手続きが実行可能な状態の場合にのみ、UE_A10は、コントロールプレーンサービス要求メッセージに第8の識別情報、及び/又は第9の識別情報を含めることができる。一方で、第1の通信手続きにおける切り替え手続きが禁止されている状態においては、UE_A10は、第8の識別情報、及び/又は第9の識別情報を含めたコントロールプレーンサービス要求メッセージを送信しない。この場合、UE_A10は第1の通信手続きにおける切り替え手続きを開始しない。言い換えると、UE_A10は、第1の通信手続きにおける切り替え手続きが禁止されている状態においては、第8の識別情報、及び/又は第9の識別情報を含めたコントロールプレーンサービス要求メッセージを送信しないよう設定されている。さらに、この場合、UE_A10は第1の通信手続きにおける切り替え手続きを開始しないよう設定されている。
【０１６６】
より詳細には、UE_A10は、第8の識別情報、及び/又は第9の識別情報を含めたコントロールプレーンサービス要求メッセージを送信することで、control plane CIoT EPS optimizationからuser plane CIoT EPS optimization又はS1-Uを用いたデータ通信に切り替えることを要求してもよい。
【０１６７】
さらに、UE_A10は、第8の識別情報、及び/又は第9の識別情報を含めたコントロールプレーンサービス要求メッセージを送信することで、control plane CIoT EPS optimizationを使用している状態で、一又複数の、S1-Uベアラ、及び/又はユーザプレーン無線ベアラを確立することを要求してもよい。
【０１６８】
さらに、UE_A10は、要求する切り替えが、control plane CIoT EPS optimizationからuser plane CIoT EPS optimizationへの切り替えか、control plane CIoT EPS optimizationからS1-Uを用いたデータ通信への切り替えかを示す情報も、コントロールプレーンサービス要求メッセージに含めて送信してもよい。
【０１６９】
MME_A40は、コントロールプレーンサービス要求メッセージを受信する。MME_A40は、コントロールプレーンサービス要求メッセージの受信に基づいて、コントロールプレーンサービス要求メッセージに含まれる識別情報を受信してもよい。
【０１７０】
さらに、MME_A40は、コントロールプレーンサービス要求メッセージの受信に基づいて、ユーザプレーン無線ベアラを確立する手続きを開始する(S802)。より詳細には、MME_A40は、第8の識別情報、及び/又は第9の識別情報の受信に基づいて、無線ベアラを確立する手続きを開始してもよい。
【０１７１】
さらに、MME_A40は、control plane CIoT EPS optimizationからuser plane CIoT EPS optimizationへの切り替えか、control plane CIoT EPS optimizationからS1-Uを用いたデータ通信への切り替えかを示す情報に基づいて、user plane CIoT EPS optimizationのための無線ベアラを確立する手続きを開始してもよいし、S1-Uを用いたデータ通信のための無線ベアラを確立する手続きを開始してもよい。
【０１７２】
さらに、MME_A40は、コントロールプレーンサービス要求メッセージの受信に基づいて、サービス受諾 (Service Accept) メッセージを送信してもよい(S802)。この場合、UE_A10はサービス受諾メッセージを受信してもよい。
【０１７３】
さらに、MME_A40は、受諾された切り替えが、control plane CIoT EPS optimizationからuser plane CIoT EPS optimizationへの切り替えか、control plane CIoT EPS optimizationからS1-Uを用いたデータ通信への切り替えかを示す情報も、サービス受諾メッセージに含めて送信してもよい。
【０１７４】
UE_A10、及び/又はMME_A40は、無線ベアラを確立する手続きの完了、及び/又はサービス受諾メッセージの送受信に基づいて、第1の通信手続きにおける切り替え手続きを完了する。
【０１７５】
[1.3.2.第2の通信手続き例]
第2の通信手続きは、アタッチ手続き、及び/又はトラッキングエリア更新手続き後に、UE_A10が主導してcontrol plane CIoT EPS optimizationからuser plane CIoT EPS optimizationに切り替える場合の手続きである。
【０１７６】
図5を用いて、第2の通信手続きの各ステップを説明する。第2の通信手続き例において、UE_A10は、まず、コアネットワーク_A90に対してアタッチ手続きを実行する(S500)。次に、UE_A10は、トラッキングエリア更新手続きを実行する(S502)。その次に、UE_A10は、切り替え手続きを実行する(S504)。なお、UE_A10は、トラッキングエリア更新手続きを実行せずに、切り替え手続きを実行してもよい。
【０１７７】
なお、UE_A10は、アタッチ手続きの完了に基づいて、ネットワークに接続した状態に遷移してもよい。さらに、UE_A10、及び/又はMME_A40は、アタッチ手続き、及び/又はトラッキングエリア更新手続きの完了に基づいて、control plane CIoT EPS Optimizationを実行してもよいし、control plane CIoT EPS Optimizationを用いたEPSサービスを実行してもよい。さらに、UE_A10は、アタッチ手続き、及び/又はトラッキングエリア更新手続きの完了に基づいて、第2の通信手続きにおける切り替え手続きが実行可能だと判断してもよいし、第2の通信手続きにおける切り替え手続きを実行してもよい。それに限らず、UE_A10は、後に説明する条件に基づいて第2の通信手続きにおける切り替え手続きを実行してもよい。
【０１７８】
さらに、UE_A10、及び/又はMME_A40は、の完了に基づいて、使用しているEPSサービスをcontrol plane CIoT EPS optimizationを用いたEPSサービスからuser plane CIoT EPS optimizationを用いたEPSサービスに切り替えてもよい。なお、UE_A10、及び/又はMME_A40は、完了に基づいて、第2の通信手続きを完了する。
【０１７９】
[1.3.2.1.アタッチ手続き例]
まず、アタッチ手続きの概要について説明する。本アタッチ手続きは、UE_A10が主導してネットワーク(アクセスネットワーク、及び/又はコアネットワーク_A90、及び/又はPDN_A5)へ接続する為の手続きである。UE_A10は、コアネットワーク_A90に接続していない状態であれば、端末電源投入時等の任意のタイミングで本アタッチ手続きを実行する事ができる。言い換えると、UE_A10は、登録されていない状態(EMM-DEREGISTERED)であれば任意のタイミングで本アタッチ手続きを開始してもよい。また、UE_A10、及び/又はMME_A40は、アタッチ手続き完了に基づいて、登録状態(EMM-REGISTERED)に遷移してもよい。
【０１８０】
以下、図6を用いて、本アタッチ手続きの各ステップについて説明する。まず、UE_A10は、eNB_A45を介してMME_A40にアタッチ要求(Attach request)メッセージを送信し(S600)、アタッチ手続きを開始する。
【０１８１】
ここで、UE_A10は、アタッチ要求メッセージに、少なくとも第1の識別情報、及び/又は第2の識別情報、及び/又は第3の識別情報、及び/又は第4の識別情報を含めてもよいし、これらの識別情報を含める事で、UE_A10の要求を示してもよい。
【０１８２】
さらに、UE_A10は、control plane CIoT EPS optimizationの要求を示す場合、第1の識別情報を送信してもよい。さらに、UE_A10は、control plane CIoT EPS optimizationをサポートしている場合、第2の識別情報を送信してもよい。
【０１８３】
さらに、UE_A10は、第1の識別情報、及び/又は第2の識別情報を送信することで、control plane CIoT EPS optimizationを、サポートしていることを示してもよいし、要求することを示してもよい。
【０１８４】
さらに、UE_A10は、user plane CIoT EPS optimizationをサポートしている場合、第3の識別情報を送信してもよいし、第3の識別情報を送信することでUE_A10が前記の内容をサポートしていることを示してもよい。
【０１８５】
さらに、UE_A10は、S1-Uを用いたデータ通信をサポートしている場合、第4の識別情報を送信してもよいし、第4の識別情報を送信することでUE_A10が前記の内容をサポートしていることを示してもよい。
【０１８６】
さらに、UE_A10は、第2の通信手続きにおける切り替え手続きをサポートしている場合、第1の識別情報と第2の識別情報と共に第3の識別情報、及び/又は第4の識別情報を送信してもよいし、これらの識別情報を送信することでUE_A10が第2の通信手続きにおける切り替え手続きをサポートしていること、及び/又はアタッチ手続き又はトラッキングエリア更新手続きの後に第2の通信手続きにおける切り替え手続きを実行可能とする要求であることを示してもよい。
【０１８７】
もしくは、UE_A10は、第1の識別情報及び又は第2の識別情報の送信に加え、第3の識別情報及び/又は第4の識別情報を送信することにより、第2の通信手続きにおける切り替え手続きをサポートしていること、及び/又はアタッチ手続き又はトラッキングエリア更新手続きの後に第2の通信手続きにおける切り替え手続きを実行可能とする要求であることを示してもよい。したがって、この場合における第3の識別情報、及び/又は第4の識別情報は、第2の通信手続きにおける切り替え手続きをサポートしていること、及び/又はアタッチ手続き又はトラッキングエリア更新手続きの後に第2の通信手続きにおける切り替え手続きを実行可能とする要求を示す識別情報として用いられてよい。
【０１８８】
例えば、UE_A10はPNB-CIoTビットが示すCIoT EPS optimizationとは異なる、他のCIoT EPS optimizationをサポートすること示す情報を送信することにより、第2の通信手続きにおける切り替え手続きをサポートしていること、及び/又はアタッチ手続き又はトラッキングエリア更新手続きの後に第2の通信手続きにおける切り替え手続きを実行可能とする要求であることを示してもよい。言い換えると、PNB-CIoTビットが示すCIoT EPS optimizationとは異なる、他のCIoT EPS optimizationをサポートする情報は、第2の通信手続きにおける切り替え手続きをサポートしていること、及び/又はアタッチ手続き又はトラッキングエリア更新手続きの後に第2の通信手続きにおける切り替え手続きを実行可能とする要求を示す識別情報として用いられてよい。なお、PNB-CIoTビットが示すCIoT EPS optimizationとは異なる、他のCIoT EPS optimizationとは、PNB-CIoTビットが示すCIoT EPS optimizationとは異なるタイプのCIoT EPS optimizationであってもよいし、PNB-CIoTビットでは示されていないCIoT EPS optimizationであってもよい。
【０１８９】
なお、UE_A10は、これらの識別情報を、アタッチ要求メッセージとは異なる制御メッセージに含めて送信してもよい。例えば、UE_A10は、ESM(EPS Session Management)情報要求メッセージへの応答メッセージであるESM情報応答メッセージ(S601)に、これらの識別情報を含めて送信してもよい。
【０１９０】
MME_A40は、アタッチ要求メッセージ及び/又はESM情報応答メッセージを受信する。MME_A40は、アタッチ要求メッセージ及び/又はESM情報応答メッセージの受信に基づいて、アタッチ要求メッセージ及び/又はESM情報応答メッセージに含まれる識別情報を受信してもよい。さらに、MME_A40は、アタッチ要求メッセージ及び/又はESM情報応答メッセージの受信に基づいて、eNB_A45を介してUE_A10にアタッチ受諾(Attach accept)メッセージを送信する(S602)。
【０１９１】
ここで、MME_A40は、アタッチ受諾メッセージに、少なくとも第5の識別情報、及び/又は第6の識別情報、及び/又は第7の識別情報を含めてもよいし、これらの識別情報を含める事で、UE_A10の要求が受諾されたことを示してもよい。
【０１９２】
さらに、MME_A40は、UE_A10のcontrol plane CIoT EPS optimizationの要求を受諾する場合、第5の識別情報を送信してもよい。さらに、MME_A40は、ネットワーク、及び又はMME_A40がcontrol plane CIoT EPS optimizationをサポートしている場合、第5の識別情報を送信してもよい。
【０１９３】
さらに、MME_A40は、第1の識別情報、及び/又は第2の識別情報を受信し、さらに、ネットワーク、及び又はMME_A40が、control plane CIoT EPS optimizationをサポートしている、及び/又control plane CIoT EPS optimizationの要求を受諾する場合、第5の識別情報を送信してもよい。
【０１９４】
さらに、MME_A40は、第5の識別情報を送信することで、control plane CIoT EPS optimizationを、ネットワーク、及び又はMME_A40が、サポートしていることを示してもよいし、UE_A10のcontrol plane CIoT EPS optimizationの要求を受諾したことを示してもよい。
【０１９５】
さらに、MME_A40は、ネットワーク、及び又はMME_A40がuser plane CIoT EPS optimizationをサポートしている場合、第6の識別情報を送信してもよいし、これらの識別情報を送信することでネットワーク、及び又はMME_A40が前記の内容をサポートしていることを示してもよい。
【０１９６】
さらに、MME_A40は、ネットワーク、及び又はMME_A40がS1-Uを用いたデータ通信をサポートしている場合、第7の識別情報を送信してもよいし、これらの識別情報を送信することでネットワーク、及び又はMME_A40が前記の内容をサポートしていることを示してもよい。
【０１９７】
さらに、MME_A40は、第1の識別情報、及び/又は第2の識別情報と共に第3の識別情報、及び/又は第4の識別情報を受信し、さらに、ネットワーク、及び又はMME_A40が第2の通信手続きにおける切り替え手続きをサポートしている場合、第5の識別情報と共に第6の識別情報と第7の識別情報、又は第6の識別情報を送信してもよいし、これらの識別情報を送信することでネットワーク、及び又はMME_A40が第2の通信手続きにおける切り替え手続きをサポートしていることを示してもよいし、アタッチ手続き又はトラッキングエリア更新手続きの後に第2の通信手続きにおける切り替え手続きを実行可能とする要求が受諾されたことを示してもよい。
【０１９８】
もしくは、MME_A40は、上記の場合、第5の識別情報の送信に加え、第6の識別情報と第7の識別情報、又は第6の識別情報を送信することにより、ネットワーク、及び又はMME_A40が第2の通信手続きにおける切り替え手続きをサポートしていること、及び/又はアタッチ手続き又はトラッキングエリア更新手続きの後に第2の通信手続きにおける切り替え手続きを実行可能とする要求が受諾されたであることを示してもよい。したがって、この場合における第6の識別情報と第7の識別情報、又は第6の識別情報は、ネットワーク、及び又はMME_A40が第2の通信手続きにおける切り替え手続きをサポートしていること、及び/又はアタッチ手続き又はトラッキングエリア更新手続きの後に第2の通信手続きにおける切り替え手続きを実行可能とする要求が受諾されたことを示す識別情報として用いられてよい。
【０１９９】
例えば、MME_A40は、受信したPNB-CIoTビットが示すCIoT EPS optimizationとは異なる、他のCIoT EPS optimizationをサポートすること示す情報を送信することにより、ネットワーク、及び又はMME_A40が第2の通信手続きにおける切り替え手続きをサポートしていること、及び/又はアタッチ手続き又はトラッキングエリア更新手続きの後に第2の通信手続きにおける切り替え手続きを実行可能とする要求が受諾されたことを示してもよい。言い換えると、受信したPNB-CIoTビットが示すCIoT EPS optimizationとは異なる、他のCIoT EPS optimizationをサポートする情報は、ネットワーク、及び又はMME_A40が第2の通信手続きにおける切り替え手続きをサポートしていること、及び/又はアタッチ手続き又はトラッキングエリア更新手続きの後に第2の通信手続きにおける切り替え手続きを実行可能とする要求が受諾されたことを示す識別情報として用いられてよい。
【０２００】
さらに、MME_A40は、上記の場合、上述した識別情報を第2の許可情報として送信してもよいし、上述した識別情報を送信することで第2の許可情報を送信したと認識してもよい。
【０２０１】
さらに、MME_A40は、UE_A10が、アタッチ手続きにおいてPDNコネクションの確立を要求する場合、PDNコネクションの確立を許可しもよい。その際には、MME_A40は、アタッチ受諾メッセージと共に、デフォルトEPSベアラコンテキストアクティブ化要求 (ACTIVATE DEFAULT EPS BEARER CONTEXT REQUEST) メッセージを送信してもよい。さらに、MME_A40は、確立するPDNコネクション対して、control plane CIoT EPS optimization onlyとするPDNコネクションを確立するか、ユーザプレーンへの切り替えを許容するPDNコネクションを確立するかを決定してもよい。
【０２０２】
一方で、MME_A40は、アタッチ要求メッセージによって第1の識別情報及び第2の識別情報に加え、第3の識別情報、及び/又は第4の識別情報を受信し、且つ、ネットワークにおいてcontrol plane CIoT EPS optimizationとuser plane CIoT EPS optimizationをサポートしている場合でも、UE_A10の切り替え手続きを実行可能とする要求を不許可と判断してもよい。なお、MME_A40における判断は、オペレータポリシー、及び/又は加入者情報等に基づいて決定してもよい。さらに、MME_A40は、UE_A10の要求を不許可と判断した場合、第5から7の識別情報の示すネットワーク能力情報のうち、第6の識別情報と第7の識別情報とを含めずに、第5の識別情報のみを含めてアタッチ受諾メッセージをUE_A10に送信してもよい。さらに、MME_A40は、UE_A10の要求を不許可と判断した場合、第5の識別情報に加えて、user plane CIoT EPS optimizationをサポートしないことを示す第6の識別情報、及び/又は、S1-Uを用いたデータ通信をサポートしないことを示す第7の識別情報を含めてアタッチ受諾メッセージをUE_A10に送信してもよい。
【０２０３】
さらに、UE_A10の要求に基づいて、アタッチ手続きにおいてPDNコネクションを確立する場合には、MME_A40は、アタッチ受諾メッセージと共に、デフォルトEPSベアラコンテキストアクティブ化要求メッセージにControl plane only indication IEを含めて送信してもよい。
【０２０４】
上述したアタッチ受諾メッセージの送信、及び/又はデフォルトEPSベアラコンテキストアクティブ化要求メッセージの送信に基づいて、MME_A40は、UE_A10に対して、UE_A10の切り替え手続きを実行可能とする要求を不許可とすることを通知してもよい。
【０２０５】
ここで、control plane CIoT EPS optimization onlyとするPDNコネクションとは、control plane CIoT EPS optimizationに基づいたユーザデータ送受信のみが許されるPDNコネクションである。ユーザプレーンへの切り替えを許容するPDNコネクションとは、control plane CIoT EPS optimizationに基づいたユーザデータ送受信が許されるPDNコネクションであり、且つユーザプレーンの通信路への切り替えが許されるPDNコネクションである。
【０２０６】
言い換えると、ユーザプレーンへの切り替えを許容するPDNコネクションとは、user plane CIoT EPS optimizationを実行可能なPDNコネクションの通信路への切り替えが可能なPDNコネクションであってよい。もしくは、CIoT EPS Optimizationを実行しない従来のPDNコネクションの通信路への切り替えが可能なPDNコネクションであってよい。もしくは、第1〜3のいずれかの切り替え手続きが実行可能なPDNコネクションであってよい。
【０２０７】
さらに、MME_A40は、control plane CIoT EPS optimization onlyとするPDNコネクションを確立することを許容した場合には、送信するデフォルトEPSベアラコンテキストアクティブ化要求メッセージにControl plane only indication情報要素を含めることで、確立するPDNコネクションがcontrol plane CIoT EPS optimizationのみの用途に用いられるコネクションであることをUE_A10に通知する。また、ユーザプレーンへの切り替えを許容するPDNコネクションの確立を許可する場合には、MME_A40は、送信するデフォルトEPSベアラコンテキストアクティブ化要求メッセージにControl plane only indication情報要素を含めないことにより、確立するPDNコネクションがユーザプレーンへの切り替えを許容するPDNコネクションであることをUE_A10に通知する。
【０２０８】
UE_A10は、アタッチ受諾メッセージを受信する。UE_A10は、アタッチ受諾メッセージの受信に基づいて、アタッチ受諾メッセージに含まれる識別情報を受信してもよい。さらに、UE_A10は、アタッチ受諾メッセージの受信に基づいて、eNB_A45を介してMME_A40にアタッチ完了メッセージを送信する(S604)。さらに、MME_A40はアタッチ完了メッセージを受信する。UE_A10、及び/又はMME_A40は、アタッチ完了メッセージの送受信に基づいて、アタッチ手続きを完了する。_  UE_A10は、アタッチ手続きの完了に基づいて、UE_A10がネットワークに接続した状態及び/又は登録状態に遷移してもよい。
【０２０９】
さらに、UE_A10は、アタッチ手続きの完了に基づいて、control plane CIoT EPS optimizationが使用可能であることを検出、認識してもよいし、control plane CIoT EPS optimizationを使用してもよい。
【０２１０】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０２１１】
以上のアタッチアタッチ手続きにより、UE_A10は、control plane CIoT EPS optimizationを使用可能であるPDNコネクションを確立してもよい。さらに、UE_A10は、確立したPDNコネクションの種類を検出、認識してもよい。
【０２１２】
UE_A10は、第6の識別情報と第7の識別情報、又は第6の識別情報を受信した場合、ネットワーク、及び/又はMME_A40が第2の通信手続きにおける切り替え手続きをサポートしていることを検出、認証してもよいし、UE_A10が第2の通信手続きにおける切り替え手続きを実行可能であることを検出、認識してもよい。
【０２１３】
より詳細には、UE_A10は、少なくとも第1の識別情報、及び/又は第2の識別情報をアタッチ要求メッセージに含めて送信し、さらに、第5の識別情報と共に第6の識別情報と第7の識別情報、又は第6の識別情報を受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。さらに、この場合、UE_A10は、第6の識別情報と第7の識別情報、又は第6の識別情報を、第2の通信手続きにおける切り替え手続きが実行可能であることを示す情報であると検出、認識してもよい。さらに、この場合、UE_A10は、第2の許可情報を受信したと検出、認識してもよい。
【０２１４】
言い換えると、UE_A10は、アタッチ要求メッセージで要求したCIoT EPS optimizationとは異なるCIoT EPS optimizationのサポート情報を、アタッチ受諾メッセージで受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。さらに、この場合、UE_A10は、アタッチ要求メッセージで要求したCIoT EPS optimizationとは異なるCIoT EPS optimizationのサポート情報を、第2の通信手続きにおける切り替え手続きが実行可能であることを示す情報であると検出、認識してもよい。さらに、この場合、UE_A10は、第2の許可情報を受信したと検出、認識してもよい。
【０２１５】
さらに、UE_A10は、第2の許可情報を受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。
【０２１６】
[1.3.2.2.トラッキングエリア更新手続き例]
まず、トラッキングエリア更新手続き(Tracking Area Update Procedure)の概要について説明する。本トラッキングエリア更新手続きは、ネットワークにおけるUE_A10の位置登録情報を更新する、及び/又は、UE_A10からネットワークへ定期的にUE_A10の状態を通知する、及び/又は、ネットワークにおけるUE_A10に関する特定のパラメータ、及び/又は識別子を更新する為の手続きである。さらに、UE_A10は、本トラッキングエリア更新手続きを実行することで、UE_A10におけるネットワークに関する特定のパラメータ、及び/又は識別子を更新ことができる。
【０２１７】
なお、UE_A10は、登録状態であれば、任意のタイミングで本トラッキングエリア更新手続きを実行する事ができる。また、UE_A10は、本トラッキングエリア更新手続きを定期的に実行する事ができる。
【０２１８】
以下、図7を用いて、本トラッキングエリア更新手続きの各ステップについて説明する。まず、UE_A10は、eNB_A45を介してMME_A40にトラッキングエリア更新要求(Tracking Area Update request)メッセージを送信し(S700)、トラッキングエリア更新手続きを開始する。
【０２１９】
ここで、UE_A10は、トラッキングエリア更新要求メッセージに、少なくとも第1の識別情報、及び/又は第2の識別情報、及び/又は第3の識別情報、及び/又は第4の識別情報を含めてもよいし、これらの識別情報を含める事で、UE_A10の要求を示してもよい。
【０２２０】
なお、UE_A10が、トラッキングエリア更新要求メッセージにおいて、各識別情報を送信する条件、及び各識別情報を送信することで示す内容は、アタッチ要求メッセージにおける、各識別情報を送信する条件、及び各識別情報を送信することで示す内容と同じであってよい。
【０２２１】
MME_A40は、トラッキングエリア更新要求メッセージを受信する。MME_A40は、トラッキングエリア更新要求メッセージの受信に基づいて、トラッキングエリア更新要求メッセージに含まれる識別情報を受信してもよい。さらに、MME_A40は、トラッキングエリア更新要求メッセージの受信に基づいて、eNB_A45を介してUE_A10にトラッキングエリア更新受諾(Tracking Area Update accept)メッセージを送信する(S702)。
【０２２２】
ここで、MME_A40は、トラッキングエリア更新受諾メッセージに、少なくとも第5の識別情報、及び/又は第6の識別情報、及び/又は第7の識別情報を含めてもよいし、これらの識別情報を含める事で、UE_A10の要求が受諾されたことを示してもよい。
【０２２３】
なお、MME_A40が、トラッキングエリア更新受諾メッセージにおいて、各識別情報を送信する条件、及び各識別情報を送信することで示す内容は、アタッチ受諾メッセージにおける、各識別情報を送信する条件、及び各識別情報を送信することで示す内容と同じであってよい。
【０２２４】
UE_A10は、トラッキングエリア更新受諾メッセージを受信する。UE_A10は、トラッキングエリア更新受諾メッセージの受信に基づいて、トラッキングエリア更新受諾メッセージに含まれる識別情報を受信してもよい。さらに、UE_A10は、トラッキングエリア更新受諾メッセージの受信に基づいて、eNB_A45を介してMME_A40にトラッキングエリア更新完了メッセージを送信してもよい(S704)。さらに、MME_A40はトラッキングエリア更新完了メッセージを受信してもよい。UE_A10、及び/又はMME_A40は、トラッキングエリア更新完了メッセージ、及び/又はトラッキングエリア更新受諾メッセージの送受信に基づいて、トラッキングエリア更新手続きを完了する。_  UE_A10は、トラッキングエリア更新手続きの完了に基づいて、UE_A10がネットワークに接続した状態及び/又は登録状態に遷移してもよい。
【０２２５】
さらに、UE_A10は、トラッキングエリア更新手続きの完了に基づいて、control plane CIoT EPS optimizationが使用可能であることを検出、認識してもよいし、control plane CIoT EPS optimizationを使用してもよい。
【０２２６】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０２２７】
UE_A10は、第6の識別情報と第7の識別情報、又は第6の識別情報を受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。
【０２２８】
より詳細には、UE_A10は、少なくとも第1の識別情報、及び/又は第2の識別情報をトラッキングエリア更新要求メッセージに含めて送信し、さらに、/第5の識別情報と共に第6の識別情報と第7の識別情報、又は第6の識別情報を受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。さらに、この場合、UE_A10は、第6の識別情報と第7の識別情報、又は第6の識別情報を、第2の通信手続きにおける切り替え手続きが実行可能であることを示す情報であると、検出、認識してもよい。さらに、この場合、UE_A10は、第2の許可情報を受信したと検出、認識してもよい。
【０２２９】
言い換えると、UE_A10は、トラッキングエリア更新要求メッセージで要求したCIoT EPS optimizationとは異なるCIoT EPS optimizationのサポート情報を、トラッキングエリア更新受諾メッセージで受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。さらに、この場合、UE_A10は、トラッキングエリア更新要求メッセージで要求したCIoT EPS optimizationとは異なるCIoT EPS optimizationのサポート情報を、第2の通信手続きにおける切り替え手続きが実行可能であることを示す情報であると検出、認識してもよい。さらに、この場合、UE_A10は、第2の許可情報を受信したと検出、認識してもよい。
【０２３０】
さらに、UE_A10は、第2の許可情報を受信した場合、ネットワーク、及び又はMME_A40が第2の通信手続きにおける切り替え手続きをサポートしていることを検出、認証してもよいし、UE_A10が第2の通信手続きにおける切り替え手続きを実行可能であることを検出、認識してもよい。
【０２３１】
[1.3.2.3.切り替え手続き例]
まず、第2の通信手続きにおける切り替え手続きの概要について説明する。第2の通信手続きにおける切り替え手続きは、UE_A10が主導してcontrol plane CIoT EPS optimizationからuser plane CIoT EPS optimizationに切り替える手続きである。言い換えると、第2の通信手続きにおける切り替え手続きは、control plane CIoT EPS optimizationを使用している状態で、一又複数の、S1-Uベアラ、及び/又はユーザプレーン無線ベアラ (user plane radio bearer) を確立するための手続きであってもよい。さらに、第2の通信手続きにおける切り替え手続きは、前記目的を達成するサービス要求 (Service Request) 手続きであってもよい。より詳細には、第2の通信手続きにおける切り替え手続きは、MME_A40が、一又複数の、S1-Uベアラ、及び/又はユーザプレーン無線ベアラの確立を始めるためのサービス要求手続きであってもよい。
【０２３２】
第2の通信手続きにおける切り替え手続きは、アタッチ手続き、及び/又はトラッキングエリア更新手続きで受信した識別情報に基づいて、実行可能となってよい。言い換えると、UE_A10は、アタッチ手続き、及び/又はトラッキングエリア更新手続きで第2の通信手続きにおける切り替え手続きが実行可能であることを示す情報を受信した場合、第2の通信手続きにおける切り替え手続きが実行可能な状態である。
【０２３３】
より詳細には、UE_A10は、アタッチ要求メッセージ、及び/又はトラッキングエリア更新要求メッセージで、第1の識別情報、及び/又は第2の識別情報を送信し、さらに、第5の識別情報と共に第6の識別情報と第7の識別情報、又は第6の識別情報を受信した場合、第2の通信手続きにおける切り替え手続きが実行可能な状態である。さらに、UE_A10は、第2の許可情報を受信した場合、及び/又は、第2の許可情報を受信したと認識した場合を、第2の通信手続きにおける切り替え手続きが実行可能な状態であるとしてよい。
【０２３４】
もしくは、第1の判断が真となる場合には、第2の通信手続きにおける切り替え手続きが実行可能であると判断してもよい。さらに、この場合を第2の通信手続きにおける切り替え手続きが実行可能な状態であるとしてもよい。また、第1の判断が偽となる場合には、第2の通信手続きにおける切り替え手続きが実行できない、又は第2の通信手続きにおける切り替え手続きの実行が禁止されていると判断し、第2の通信手続きにおける切り替え手続きを実行しないよう設定してもよい。
【０２３５】
ここで、第1の判断とは、少なくとも一つ以上のPDNコネクションが確立されており、さらに、少なくとも一つのPDNコネクションがユーザプレーンへの切り替えを許容するPDNコネクションである場合、真とする。一方で、少なくとも一つ以上のPDNコネクションが確立されており、さらに、全てのPDNコネクションに対してUser Planeへの切り替えが許容されていない場合、つまり、control plane CIoT EPS optimization onlyとするPDNコネクションである場合、偽とする。
【０２３６】
なお、第1の判断を行うタイミングは、アタッチ手続きが完了していればよい。さらに、UE_A10は、アタッチ時に確立したPDNコネクションに加え、その他複数のPDNコネクションを確立していてもよい。なお、UE_A10がアタッチ手続きで完了するPDNコネクション以外に確立する複数のPDNコネクションには、SECF PDNコネクションが含まれていてもよい。さらに、一又は複数のPDNコネクションが含まれていてもよい。
【０２３７】
なお、アタッチ手続きで確立するPDNコネクションがユーザプレーンへの切り替えを許容するPDNコネクションである場合、これら複数のPDNコネクションは、ユーザプレーンへの切り替えが許容されていてもよい。この場合、SECF PDNコネクションのみが、control plane CIoT EPS optimizationのみの用途に用いられるコネクションであってよい。
【０２３８】
また、アタッチ手続きで完了するPDNコネクションがユーザプレーンへの切り替えが許容されていない場合、つまり、control plane CIoT EPS optimization onlyとするPDNコネクションである場合、これら複数のPDNコネクションは、切り替えが許容されていない、control plane CIoT EPS optimizationのみの用途に用いられるPDNコネクションであってよい。
【０２３９】
また、UE_A10は、第2の許可情報と第1の判断を組み合わせて、第2の通信手続きにおける切り替え手続きが実行可能であると判断してもよい。例えば、第2の許可情報を受信し、且つ第1の判断が真の場合、第2の通信手続きにおける切り替え手続きが実行可能であると判断してもよい。さらに、この場合を第2の通信手続きにおける切り替え手続きが実行可能な状態であるとしてもよい。さらに、第2の許可情報の内の一部又は全てを受信していない、または、第1の判断が偽である場合、切替え手続きの実行ができない、又は禁止されていると判断してもよい。
【０２４０】
さらに、第2の通信手続きにおける切り替え手続きが開始されるタイミングは、UE_A10が、control plane CIoT EPS optimizationを使用していて、ユーザプレーン無線ベアラ、及び/又はS1-Uを介して送受信すべきユーザデータを保持していて、さらに、第2の通信手続きにおける切り替え手続きが実行可能な状態である場合であってよい。
【０２４１】
言い換えると、UE_A10は、コネクテッドモード (EMM-CONNECTED) であり、さらに、control plane CIoT EPS optimizationを用いたEPSサービスで使用するためのNASシグナリングコネクションしか確立していない状態で、ユーザプレーン無線ベアラ、及び/又はS1-Uを介して送受信すべきユーザデータを保持していて、さらに、第2の通信手続きにおける切り替え手続きが実行可能な状態である場合、第2の通信手続きにおける切り替え手続きを実行してもよい。
【０２４２】
さらに、UE_A10は、アイドルモード (EMM-IDLE) であり、ユーザプレーン無線ベアラ、及び/又はS1-Uを介して送受信すべきユーザデータを保持していて、さらに、第2の通信手続きにおける切り替え手続きが実行可能な状態である場合、第2の通信手続きにおける切り替え手続きを実行してもよい。
【０２４３】
なお、第2の通信手続きにおける切り替え手続きが開始されるタイミングは、これらに限らず、UE_A10が、第2の通信手続きにおける切り替え手続きが実行可能な状態であれば、任意のタイミングであってもよい。
【０２４４】
UE_A10は、第2の通信手続きにおける切り替え手続きの完了に基づいて、control plane CIoT EPS optimizationからuser plane CIoT EPS optimizationに切り替えてもよいし、control plane CIoT EPS optimizationを使用している状態で、一又複数の、S1-Uベアラ、及び/又はユーザプレーン無線ベアラを確立してもよい。
【０２４５】
以下、図8を用いて、第2の通信手続きにおける切り替え手続きの各ステップについて説明する。まず、UE_A10は、eNB_A45を介してMME_A40にコントロールプレーンサービス要求 (Control Plane Service Request) メッセージを送信し(S800)、第2の通信手続きにおける切り替え手続きを開始する。
【０２４６】
ここで、UE_A10は、コントロールプレーンサービス要求メッセージに、少なくとも第8の識別情報、及び/又は第9の識別情報を含めてもよいし、これらの識別情報を含める事で、本コントロールプレーンサービス要求メッセージが第2の通信手続きにおける切り替え手続きの為のメッセージであることを示してもよい。
【０２４７】
言い換えると、UE_A10は、第8の識別情報、及び/又は第9の識別情報を含めたコントロールプレーンサービス要求メッセージを送信することにより、第2の通信手続きにおける切り替え手続きを開始する。なお、第2の通信手続きにおける切り替え手続きが実行可能な状態の場合にのみ、UE_A10は、第8の識別情報、及び/又は第9の識別情報を含めたコントロールプレーンサービス要求メッセージを送信することができる。言い換えると、第2の通信手続きにおける切り替え手続きが実行可能な状態の場合にのみ、UE_A10は、コントロールプレーンサービス要求メッセージに第8の識別情報、及び/又は第9の識別情報を含めることができる。一方で、第2の通信手続きにおける切り替え手続きが禁止されている状態においては、UE_A10は、第8の識別情報、及び/又は第9の識別情報を含めたコントロールプレーンサービス要求メッセージを送信しない。この場合、UE_A10は第2の通信手続きにおける切り替え手続きを開始しない。言い換えると、UE_A10は、第2の通信手続きにおける切り替え手続きが禁止されている状態においては、第8の識別情報、及び/又は第9の識別情報を含めたコントロールプレーンサービス要求メッセージを送信しないよう設定されている。さらに、この場合、UE_A10は第2の通信手続きにおける切り替え手続きを開始しないよう設定されている。
【０２４８】
より詳細には、UE_A10は、第8の識別情報、及び/又は第9の識別情報を含めたコントロールプレーンサービス要求メッセージを送信することで、control plane CIoT EPS optimizationからuser plane CIoT EPS optimizationに切り替えることを要求してもよい。
【０２４９】
さらに、UE_A10は、第8の識別情報、及び/又は第9の識別情報を含めたコントロールプレーンサービス要求メッセージを送信することで、control plane CIoT EPS optimizationを使用している状態で、一又複数の、S1-Uベアラ、及び/又はユーザプレーン無線ベアラを確立することを要求してもよい。
【０２５０】
MME_A40は、コントロールプレーンサービス要求メッセージを受信する。MME_A40は、コントロールプレーンサービス要求メッセージの受信に基づいて、コントロールプレーンサービス要求メッセージに含まれる識別情報を受信してもよい。
【０２５１】
さらに、MME_A40は、コントロールプレーンサービス要求メッセージの受信に基づいて、ユーザプレーン無線ベアラを確立する手続きを開始する(S802)。より詳細には、MME_A40は、第8の識別情報、及び/又は第9の識別情報の受信に基づいて、無線ベアラを確立する手続きを開始してもよい。
【０２５２】
さらに、MME_A40は、コントロールプレーンサービス要求メッセージの受信に基づいて、サービス受諾 (Service Accept) メッセージを送信してもよい(S802)。この場合、UE_A10はサービス受諾メッセージを受信してもよい。
【０２５３】
UE_A10、及び/又はMME_A40は、無線ベアラを確立する手続きの完了、及び/又はサービス受諾メッセージの送受信に基づいて、第2の通信手続きにおける切り替え手続きを完了する。
【０２５４】
[1.3.3.第3の通信手続き例]
第3の通信手続きは、アタッチ手続き、及び/又はトラッキングエリア更新手続き後に、UE_A10が主導してcontrol plane CIoT EPS optimizationからS1-Uを用いたデータ通信に切り替える場合の手続きである。
【０２５５】
図5を用いて、第3の通信手続きの各ステップを説明する。第3の通信手続き例において、UE_A10は、まず、コアネットワーク_A90に対してアタッチ手続きを実行する(S500)。次に、UE_A10は、トラッキングエリア更新手続きを実行する(S502)。その次に、UE_A10は、切り替え手続きを実行する(S504)。なお、UE_A10は、トラッキングエリア更新手続きを実行せずに、切り替え手続きを実行してもよい。
【０２５６】
なお、UE_A10は、アタッチ手続きの完了に基づいて、ネットワークに接続した状態に遷移してもよい。さらに、UE_A10、及び/又はMME_A40は、アタッチ手続き、及び/又はトラッキングエリア更新手続きの完了に基づいて、control plane CIoT EPS Optimizationを実行してもよいし、control plane CIoT EPS Optimizationを用いたEPSサービスを実行してもよい。さらに、UE_A10は、アタッチ手続き、及び/又はトラッキングエリア更新手続きの完了に基づいて、第3の通信手続きにおける切り替え手続きが実行可能だと判断してもよいし、第3の通信手続きにおける切り替え手続きを実行してもよい。それに限らず、UE_A10は、後に説明する条件に基づいて第3の通信手続きにおける切り替え手続きを実行してもよい。
【０２５７】
さらに、UE_A10、及び/又はMME_A40は、の完了に基づいて、使用しているEPSサービスをcontrol plane CIoT EPS optimizationを用いたEPSサービスからS1-Uを用いたデータ通信が実行可能な従来のEPSサービスに切り替えてもよい。なお、UE_A10、及び/又はMME_A40は、完了に基づいて、第3の通信手続きを完了する。
【０２５８】
[1.3.3.1.アタッチ手続き例]
まず、アタッチ手続きの概要について説明する。本アタッチ手続きは、UE_A10が主導してネットワーク(アクセスネットワーク、及び/又はコアネットワーク_A90、及び/又はPDN_A5)へ接続する為の手続きである。UE_A10は、コアネットワーク_A90に接続していない状態であれば、端末電源投入時等の任意のタイミングで本アタッチ手続きを実行する事ができる。言い換えると、UE_A10は、登録されていない状態(EMM-DEREGISTERED)であれば任意のタイミングで本アタッチ手続きを開始してもよい。また、UE_A10、及び/又はMME_A40は、アタッチ手続き完了に基づいて、登録状態(EMM-REGISTERED)に遷移してもよい。
【０２５９】
以下、図6を用いて、本アタッチ手続きの各ステップについて説明する。まず、UE_A10は、eNB_A45を介してMME_A40にアタッチ要求(Attach request)メッセージを送信し(S600)、アタッチ手続きを開始する。
【０２６０】
ここで、UE_A10は、アタッチ要求メッセージに、少なくとも第1の識別情報、及び/又は第2の識別情報、及び/又は第4の識別情報を含めてもよいし、これらの識別情報を含める事で、UE_A10の要求を示してもよい。
【０２６１】
さらに、UE_A10は、control plane CIoT EPS optimizationの要求を示す場合、第1の識別情報を送信してもよい。さらに、UE_A10は、control plane CIoT EPS optimizationをサポートしている場合、第2の識別情報を送信してもよい。
【０２６２】
さらに、UE_A10は、第1の識別情報、及び/又は第2の識別情報を送信することで、control plane CIoT EPS optimizationを、サポートしていることを示してもよいし、要求することを示してもよい。
【０２６３】
さらに、UE_A10は、S1-Uを用いたデータ通信をサポートしている場合、第4の識別情報を送信してもよいし、第4の識別情報を送信することでUE_A10が前記の内容をサポートしていることを示してもよい。
【０２６４】
さらに、UE_A10は、第3の通信手続きにおける切り替え手続きをサポートしている場合、第1の識別情報と第2の識別情報と共に第4の識別情報を送信してもよいし、これらの識別情報を送信することでUE_A10が第3の通信手続きにおける切り替え手続きをサポートしていること、及び/又はアタッチ手続き又はトラッキングエリア更新手続きの後に第3の通信手続きにおける切り替え手続きを実行可能とする要求であることを示してもよい。
【０２６５】
もしくは、UE_A10は、第1の識別情報及び又は第2の識別情報の送信に加え、第4の識別情報を送信することにより、第3の通信手続きにおける切り替え手続きをサポートしていること、及び/又はアタッチ手続き又はトラッキングエリア更新手続きの後に第3の通信手続きにおける切り替え手続きを実行可能とする要求であることを示してもよい。したがって、この場合における第4の識別情報は、第3の通信手続きにおける切り替え手続きをサポートしていること、及び/又はアタッチ手続き又はトラッキングエリア更新手続きの後に第3の通信手続きにおける切り替え手続きを実行可能とする要求を示す識別情報として用いられてよい。
【０２６６】
例えば、UE_A10はS1-Uを用いたデータ通信をサポートすること示す情報を送信することにより、第3の通信手続きにおける切り替え手続きをサポートしていること、及び/又はアタッチ手続き又はトラッキングエリア更新手続きの後に第3の通信手続きにおける切り替え手続きを実行可能とする要求であることを示してもよい。言い換えると、S1-Uを用いたデータ通信をサポートする情報は、第3の通信手続きにおける切り替え手続きをサポートしていること、及び/又はアタッチ手続き又はトラッキングエリア更新手続きの後に第3の通信手続きにおける切り替え手続きを実行可能とする要求を示す識別情報として用いられてよい。
【０２６７】
なお、UE_A10は、これらの識別情報を、アタッチ要求メッセージとは異なる制御メッセージに含めて送信してもよい。例えば、UE_A10は、ESM(EPS Session Management)情報要求メッセージへの応答メッセージであるESM情報応答メッセージ(S601)に、これらの識別情報を含めて送信してもよい。
【０２６８】
MME_A40は、アタッチ要求メッセージ及び/又はESM情報応答メッセージを受信する。MME_A40は、アタッチ要求メッセージ及び/又はESM情報応答メッセージの受信に基づいて、アタッチ要求メッセージ及び/又はESM情報応答メッセージに含まれる識別情報を受信してもよい。さらに、MME_A40は、アタッチ要求メッセージ及び/又はESM情報応答メッセージの受信に基づいて、eNB_A45を介してUE_A10にアタッチ受諾(Attach accept)メッセージを送信する(S602)。
【０２６９】
ここで、MME_A40は、アタッチ受諾メッセージに、少なくとも第5の識別情報、及び/又は第7の識別情報を含めてもよいし、これらの識別情報を含める事で、UE_A10の要求が受諾されたことを示してもよい。
【０２７０】
さらに、MME_A40は、UE_A10のcontrol plane CIoT EPS optimizationの要求を受諾する場合、第5の識別情報を送信してもよい。さらに、MME_A40は、ネットワーク、及び又はMME_A40がcontrol plane CIoT EPS optimizationをサポートしている場合、第5の識別情報を送信してもよい。
【０２７１】
さらに、MME_A40は、第1の識別情報、及び/又は第2の識別情報を受信し、さらに、ネットワーク、及び又はMME_A40が、control plane CIoT EPS optimizationをサポートしている、及び/又control plane CIoT EPS optimizationの要求を受諾する場合、第5の識別情報を送信してもよい。
【０２７２】
さらに、MME_A40は、第5の識別情報を送信することで、control plane CIoT EPS optimizationを、ネットワーク、及び又はMME_A40が、サポートしていることを示してもよいし、UE_A10のcontrol plane CIoT EPS optimizationの要求を受諾したことを示してもよい。
【０２７３】
さらに、MME_A40は、ネットワーク、及び又はMME_A40がuser plane CIoT EPS optimizationをサポートしていない場合、user plane CIoT EPS optimizationをサポートしていないことを示す情報を送信してもよいし、これらの識別情報を送信することでネットワーク、及び又はMME_A40が前記の内容をサポートしていないことを示してもよい。
【０２７４】
さらに、MME_A40は、ネットワーク、及び又はMME_A40がS1-Uを用いたデータ通信をサポートしている場合、第7の識別情報を送信してもよいし、これらの識別情報を送信することでネットワーク、及び又はMME_A40が前記の内容をサポートしていることを示してもよい。
【０２７５】
さらに、MME_A40は、第1の識別情報、及び/又は第2の識別情報と共に第4の識別情報を受信し、さらに、ネットワーク、及び又はMME_A40が第3の通信手続きにおける切り替え手続きをサポートしている場合、第5の識別情報と共に第7の識別情報を送信してもよいし、これらの識別情報を送信することでネットワーク、及び又はMME_A40が第3の通信手続きにおける切り替え手続きをサポートしていることを示してもよいし、アタッチ手続き又はトラッキングエリア更新手続きの後に第3の通信手続きにおける切り替え手続きを実行可能とする要求が受諾されたことを示してもよい。
【０２７６】
もしくは、MME_A40は、上記の場合、第5の識別情報の送信に加え、第7の識別情報を送信することにより、ネットワーク、及び又はMME_A40が第3の通信手続きにおける切り替え手続きをサポートしていること、及び/又はアタッチ手続き又はトラッキングエリア更新手続きの後に第3の通信手続きにおける切り替え手続きを実行可能とする要求が受諾されたであることを示してもよい。したがって、この場合における第7の識別情報は、ネットワーク、及び又はMME_A40が第3の通信手続きにおける切り替え手続きをサポートしていること、及び/又はアタッチ手続き又はトラッキングエリア更新手続きの後に第3の通信手続きにおける切り替え手続きを実行可能とする要求が受諾されたことを示す識別情報として用いられてよい。
【０２７７】
例えば、MME_A40は、S1-Uを用いたデータ通信をサポートすること示す情報を送信することにより、ネットワーク、及び又はMME_A40が第3の通信手続きにおける切り替え手続きをサポートしていること、及び/又はアタッチ手続き又はトラッキングエリア更新手続きの後に第3の通信手続きにおける切り替え手続きを実行可能とする要求が受諾されたことを示してもよい。言い換えると、S1-Uを用いたデータ通信をサポートする情報は、ネットワーク、及び又はMME_A40が第3の通信手続きにおける切り替え手続きをサポートしていること、及び/又はアタッチ手続き又はトラッキングエリア更新手続きの後に第3の通信手続きにおける切り替え手続きを実行可能とする要求が受諾されたことを示す識別情報として用いられてよい。
【０２７８】
さらに、MME_A40は、上記の場合、上述した識別情報を第3の許可情報として送信してもよいし、上述した識別情報を送信することで第3の許可情報を送信したと認識してもよい。
【０２７９】
さらに、MME_A40は、UE_A10が、アタッチ手続きにおいてPDNコネクションの確立を要求する場合、PDNコネクションの確立を許可しもよい。その際には、MME_A40は、アタッチ受諾メッセージと共に、デフォルトEPSベアラコンテキストアクティブ化要求 (ACTIVATE DEFAULT EPS BEARER CONTEXT REQUEST) メッセージを送信してもよい。さらに、MME_A40は、確立するPDNコネクション対して、control plane CIoT EPS optimization onlyとするPDNコネクションを確立するか、ユーザプレーンへの切り替えを許容するPDNコネクションを確立するかを決定してもよい。
【０２８０】
一方で、MME_A40は、アタッチ要求メッセージによって第1の識別情報及び第2の識別情報に加え、第4の識別情報を受信し、且つ、ネットワークにおいてcontrol plane CIoT EPS optimizationとuser plane CIoT EPS optimizationをサポートしている場合でも、UE_A10の切り替え手続きを実行可能とする要求を不許可と判断してもよい。なお、MME_A40における判断は、オペレータポリシー、及び/又は加入者情報等に基づいて決定してもよい。さらに、MME_A40は、UE_A10の要求を不許可と判断した場合、第5から7の識別情報の示すネットワーク能力情報のうち、第6の識別情報と第7の識別情報とを含めずに、第5の識別情報のみを含めてアタッチ受諾メッセージをUE_A10に送信してもよい。さらに、MME_A40は、UE_A10の要求を不許可と判断した場合、第5の識別情報に加えて、user plane CIoT EPS optimizationをサポートしないことを示す第6の識別情報、及び/又は、S1-Uを用いたデータ通信をサポートしないことを示す第7の識別情報を含めてアタッチ受諾メッセージをUE_A10に送信してもよい。
【０２８１】
さらに、UE_A10の要求に基づいて、アタッチ手続きにおいてPDNコネクションを確立する場合には、MME_A40は、アタッチ受諾メッセージと共に、デフォルトEPSベアラコンテキストアクティブ化要求メッセージにControl plane only indication IEを含めて送信してもよい。
【０２８２】
上述したアタッチ受諾メッセージの送信、及び/又はデフォルトEPSベアラコンテキストアクティブ化要求メッセージの送信に基づいて、MME_A40は、UE_A10に対して、UE_A10の切り替え手続きを実行可能とする要求を不許可とすることを通知してもよい。
【０２８３】
ここで、control plane CIoT EPS optimization onlyとするPDNコネクションとは、control plane CIoT EPS optimizationに基づいたユーザデータ送受信のみが許されるPDNコネクションである。ユーザプレーンへの切り替えを許容するPDNコネクションとは、control plane CIoT EPS optimizationに基づいたユーザデータ送受信が許されるPDNコネクションであり、且つユーザプレーンの通信路への切り替えが許されるPDNコネクションである。
【０２８４】
言い換えると、ユーザプレーンへの切り替えを許容するPDNコネクションとは、user plane CIoT EPS optimizationを実行可能なPDNコネクションの通信路への切り替えが可能なPDNコネクションであってよい。もしくは、CIoT EPS Optimizationを実行しない従来のPDNコネクションの通信路への切り替えが可能なPDNコネクションであってよい。もしくは、第1〜3のいずれかの切り替え手続きが実行可能なPDNコネクションであってよい。
【０２８５】
さらに、MME_A40は、control plane CIoT EPS optimization onlyとするPDNコネクションを確立することを許容した場合には、送信するデフォルトEPSベアラコンテキストアクティブ化要求メッセージにControl plane only indication情報要素を含めることで、確立するPDNコネクションがcontrol plane CIoT EPS optimizationのみの用途に用いられるコネクションであることをUE_A10に通知する。また、ユーザプレーンへの切り替えを許容するPDNコネクションの確立を許可する場合には、MME_A40は、送信するデフォルトEPSベアラコンテキストアクティブ化要求メッセージにControl plane only indication情報要素を含めないことにより、確立するPDNコネクションがユーザプレーンへの切り替えを許容するPDNコネクションであることをUE_A10に通知する。
【０２８６】
UE_A10は、アタッチ受諾メッセージを受信する。UE_A10は、アタッチ受諾メッセージの受信に基づいて、アタッチ受諾メッセージに含まれる識別情報を受信してもよい。さらに、UE_A10は、アタッチ受諾メッセージの受信に基づいて、eNB_A45を介してMME_A40にアタッチ完了メッセージを送信する(S604)。さらに、MME_A40はアタッチ完了メッセージを受信する。UE_A10、及び/又はMME_A40は、アタッチ完了メッセージの送受信に基づいて、アタッチ手続きを完了する。_  UE_A10は、アタッチ手続きの完了に基づいて、UE_A10がネットワークに接続した状態及び/又は登録状態に遷移してもよい。
【０２８７】
さらに、UE_A10は、アタッチ手続きの完了に基づいて、control plane CIoT EPS optimizationが使用可能であることを検出、認識してもよいし、control plane CIoT EPS optimizationを使用してもよい。
【０２８８】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０２８９】
以上のアタッチアタッチ手続きにより、UE_A10は、control plane CIoT EPS optimizationを使用可能であるPDNコネクションを確立してもよい。さらに、UE_A10は、確立したPDNコネクションの種類を検出、認識してもよい。
【０２９０】
UE_A10は、第7の識別情報を受信した場合、ネットワーク、及び/又はMME_A40が第3の通信手続きにおける切り替え手続きをサポートしていることを検出、認証してもよいし、UE_A10が第3の通信手続きにおける切り替え手続きを実行可能であることを検出、認識してもよい。
【０２９１】
より詳細には、UE_A10は、少なくとも第1の識別情報、及び/又は第2の識別情報をアタッチ要求メッセージに含めて送信し、さらに、第5の識別情報と共に第7の識別情報を受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。さらに、この場合、UE_A10は、第7の識別情報を、第3の通信手続きにおける切り替え手続きが実行可能であることを示す情報であると検出、認識してもよい。さらに、この場合、UE_A10は、第3の許可情報を受信したと検出、認識してもよい。
【０２９２】
言い換えると、UE_A10は、アタッチ要求メッセージで要求したCIoT EPS optimizationとは異なるCIoT EPS optimizationのサポート情報を、アタッチ受諾メッセージで受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。さらに、この場合、UE_A10は、アタッチ要求メッセージで要求したCIoT EPS optimizationとは異なるCIoT EPS optimizationのサポート情報を、第3の通信手続きにおける切り替え手続きが実行可能であることを示す情報であると検出、認識してもよい。さらに、この場合、UE_A10は、第3の許可情報を受信したと検出、認識してもよい。
【０２９３】
さらに、UE_A10は、第3の許可情報を受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。
【０２９４】
[1.3.3.2.トラッキングエリア更新手続き例]
まず、トラッキングエリア更新手続き(Tracking Area Update Procedure)の概要について説明する。本トラッキングエリア更新手続きは、ネットワークにおけるUE_A10の位置登録情報を更新する、及び/又は、UE_A10からネットワークへ定期的にUE_A10の状態を通知する、及び/又は、ネットワークにおけるUE_A10に関する特定のパラメータ、及び/又は識別子を更新する為の手続きである。さらに、UE_A10は、本トラッキングエリア更新手続きを実行することで、UE_A10におけるネットワークに関する特定のパラメータ、及び/又は識別子を更新ことができる。
【０２９５】
なお、UE_A10は、登録状態であれば、任意のタイミングで本トラッキングエリア更新手続きを実行する事ができる。また、UE_A10は、本トラッキングエリア更新手続きを定期的に実行する事ができる。
【０２９６】
以下、図7を用いて、本トラッキングエリア更新手続きの各ステップについて説明する。まず、UE_A10は、eNB_A45を介してMME_A40にトラッキングエリア更新要求(Tracking Area Update request)メッセージを送信し(S700)、トラッキングエリア更新手続きを開始する。
【０２９７】
ここで、UE_A10は、トラッキングエリア更新要求メッセージに、少なくとも第1の識別情報、及び/又は第2の識別情報、及び/又は第4の識別情報を含めてもよいし、これらの識別情報を含める事で、UE_A10の要求を示してもよい。
【０２９８】
なお、UE_A10が、トラッキングエリア更新要求メッセージにおいて、各識別情報を送信する条件、及び各識別情報を送信することで示す内容は、アタッチ要求メッセージにおける、各識別情報を送信する条件、及び各識別情報を送信することで示す内容と同じであってよい。
【０２９９】
MME_A40は、トラッキングエリア更新要求メッセージを受信する。MME_A40は、トラッキングエリア更新要求メッセージの受信に基づいて、トラッキングエリア更新要求メッセージに含まれる識別情報を受信してもよい。さらに、MME_A40は、トラッキングエリア更新要求メッセージの受信に基づいて、eNB_A45を介してUE_A10にトラッキングエリア更新受諾(Tracking Area Update accept)メッセージを送信する(S702)。
【０３００】
ここで、MME_A40は、トラッキングエリア更新受諾メッセージに、少なくとも第5の識別情報、及び/又は第7の識別情報を含めてもよいし、これらの識別情報を含める事で、UE_A10の要求が受諾されたことを示してもよい。
【０３０１】
なお、MME_A40が、トラッキングエリア更新受諾メッセージにおいて、各識別情報を送信する条件、及び各識別情報を送信することで示す内容は、アタッチ受諾メッセージにおける、各識別情報を送信する条件、及び各識別情報を送信することで示す内容と同じであってよい。
【０３０２】
UE_A10は、トラッキングエリア更新受諾メッセージを受信する。UE_A10は、トラッキングエリア更新受諾メッセージの受信に基づいて、トラッキングエリア更新受諾メッセージに含まれる識別情報を受信してもよい。さらに、UE_A10は、トラッキングエリア更新受諾メッセージの受信に基づいて、eNB_A45を介してMME_A40にトラッキングエリア更新完了メッセージを送信してもよい(S704)。さらに、MME_A40はトラッキングエリア更新完了メッセージを受信してもよい。UE_A10、及び/又はMME_A40は、トラッキングエリア更新完了メッセージ、及び/又はトラッキングエリア更新受諾メッセージの送受信に基づいて、トラッキングエリア更新手続きを完了する。_  UE_A10は、トラッキングエリア更新手続きの完了に基づいて、UE_A10がネットワークに接続した状態及び/又は登録状態に遷移してもよい。
【０３０３】
さらに、UE_A10は、トラッキングエリア更新手続きの完了に基づいて、control plane CIoT EPS optimizationが使用可能であることを検出、認識してもよいし、control plane CIoT EPS optimizationを使用してもよい。
【０３０４】
より詳細には、UE_A10は、第5の識別情報を受信した場合、control plane CIoT EPS optimizationが受諾されたことを認証、検出してもよいし、control plane CIoT EPS optimizationを使用可能であることを検出、認識してもよい。
【０３０５】
UE_A10は、第7の識別情報を受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。
【０３０６】
より詳細には、UE_A10は、少なくとも第1の識別情報、及び/又は第2の識別情報をトラッキングエリア更新要求メッセージに含めて送信し、さらに、/第5の識別情報と共に第7の識別情報を受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。さらに、この場合、UE_A10は、第7の識別情報を、第3の通信手続きにおける切り替え手続きが実行可能であることを示す情報であると、検出、認識してもよい。さらに、この場合、UE_A10は、第3の許可情報を受信したと検出、認識してもよい。
【０３０７】
言い換えると、UE_A10は、トラッキングエリア更新要求メッセージで要求したCIoT EPS optimizationとは異なるCIoT EPS optimizationのサポート情報を、トラッキングエリア更新受諾メッセージで受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。さらに、この場合、UE_A10は、トラッキングエリア更新要求メッセージで要求したCIoT EPS optimizationとは異なるCIoT EPS optimizationのサポート情報を、第3の通信手続きにおける切り替え手続きが実行可能であることを示す情報であると検出、認識してもよい。さらに、この場合、UE_A10は、第3の許可情報を受信したと検出、認識してもよい。
【０３０８】
さらに、UE_A10は、第3の許可情報を受信した場合、ネットワーク、及び又はMME_A40が第3の通信手続きにおける切り替え手続きをサポートしていることを検出、認証してもよいし、UE_A10が第3の通信手続きにおける切り替え手続きを実行可能であることを検出、認識してもよい。
【０３０９】
[1.3.3.3.切り替え手続き例]
まず、第3の通信手続きにおける切り替え手続きの概要について説明する。第3の通信手続きにおける切り替え手続きは、UE_A10が主導してcontrol plane CIoT EPS optimizationからS1-Uを用いたデータ通信に切り替える手続きである。言い換えると、第3の通信手続きにおける切り替え手続きは、control plane CIoT EPS optimizationを使用している状態で、一又複数の、S1-Uベアラ、及び/又はユーザプレーン無線ベアラ (user plane radio bearer) を確立するための手続きであってもよい。さらに、第3の通信手続きにおける切り替え手続きは、前記目的を達成するサービス要求 (Service Request) 手続きであってもよい。より詳細には、第3の通信手続きにおける切り替え手続きは、MME_A40が、一又複数の、S1-Uベアラ、及び/又はユーザプレーン無線ベアラの確立を始めるためのサービス要求手続きであってもよい。
【０３１０】
第3の通信手続きにおける切り替え手続きは、アタッチ手続き、及び/又はトラッキングエリア更新手続きで受信した識別情報に基づいて、実行可能となってよい。言い換えると、UE_A10は、アタッチ手続き、及び/又はトラッキングエリア更新手続きで第3の通信手続きにおける切り替え手続きが実行可能であることを示す情報を受信した場合、第3の通信手続きにおける切り替え手続きが実行可能な状態である。
【０３１１】
より詳細には、UE_A10は、アタッチ要求メッセージ、及び/又はトラッキングエリア更新要求メッセージで、第1の識別情報、及び/又は第2の識別情報を送信し、さらに、第5の識別情報と共に第7の識別情報を受信した場合、第3の通信手続きにおける切り替え手続きが実行可能な状態である。さらに、UE_A10は、第3の許可情報を受信した場合、及び/又は、第3の許可情報を受信したと認識した場合を、第3の通信手続きにおける切り替え手続きが実行可能な状態であるとしてよい。
【０３１２】
もしくは、第1の判断が真となる場合には、第3の通信手続きにおける切り替え手続きが実行可能であると判断してもよい。さらに、この場合を第3の通信手続きにおける切り替え手続きが実行可能な状態であるとしてもよい。また、第1の判断が偽となる場合には、第3の通信手続きにおける切り替え手続きが実行できない、又は第3の通信手続きにおける切り替え手続きの実行が禁止されていると判断し、第3の通信手続きにおける切り替え手続きを実行しないよう設定してもよい。
【０３１３】
ここで、第1の判断とは、少なくとも一つ以上のPDNコネクションが確立されており、さらに、少なくとも一つのPDNコネクションがユーザプレーンへの切り替えを許容するPDNコネクションである場合、真とする。一方で、少なくとも一つ以上のPDNコネクションが確立されており、さらに、全てのPDNコネクションに対してUser Planeへの切り替えが許容されていない場合、つまり、control plane CIoT EPS optimization onlyとするPDNコネクションである場合、偽とする。
【０３１４】
なお、第1の判断を行うタイミングは、アタッチ手続きが完了していればよい。さらに、UE_A10は、アタッチ時に確立したPDNコネクションに加え、その他複数のPDNコネクションを確立していてもよい。なお、UE_A10がアタッチ手続きで完了するPDNコネクション以外に確立する複数のPDNコネクションには、SECF PDNコネクションが含まれていてもよい。さらに、一又は複数のPDNコネクションが含まれていてもよい。
【０３１５】
なお、アタッチ手続きで確立するPDNコネクションがユーザプレーンへの切り替えを許容するPDNコネクションである場合、これら複数のPDNコネクションは、ユーザプレーンへの切り替えが許容されていてもよい。この場合、SECF PDNコネクションのみが、control plane CIoT EPS optimizationのみの用途に用いられるコネクションであってよい。
【０３１６】
また、アタッチ手続きで完了するPDNコネクションがユーザプレーンへの切り替えが許容されていない場合、つまり、control plane CIoT EPS optimization onlyとするPDNコネクションである場合、これら複数のPDNコネクションは、切り替えが許容されていない、control plane CIoT EPS optimizationのみの用途に用いられるPDNコネクションであってよい。
【０３１７】
また、UE_A10は、第3の許可情報と第1の判断を組み合わせて、第3の通信手続きにおける切り替え手続きが実行可能であると判断してもよい。例えば、第3の許可情報を受信し、且つ第1の判断が真の場合、第3の通信手続きにおける切り替え手続きが実行可能であると判断してもよい。さらに、この場合を第3の通信手続きにおける切り替え手続きが実行可能な状態であるとしてもよい。さらに、第3の許可情報の内の一部又は全てを受信していない、または、第1の判断が偽である場合、切替え手続きの実行ができない、又は禁止されていると判断してもよい。
【０３１８】
さらに、第3の通信手続きにおける切り替え手続きが開始されるタイミングは、UE_A10が、control plane CIoT EPS optimizationを使用していて、ユーザプレーン無線ベアラ、及び/又はS1-Uを介して送受信すべきユーザデータを保持していて、さらに、第3の通信手続きにおける切り替え手続きが実行可能な状態である場合であってよい。
【０３１９】
言い換えると、UE_A10は、コネクテッドモード (EMM-CONNECTED) であり、さらに、control plane CIoT EPS optimizationを用いたEPSサービスで使用するためのNASシグナリングコネクションしか確立していない状態で、ユーザプレーン無線ベアラ、及び/又はS1-Uを介して送受信すべきユーザデータを保持していて、さらに、第3の通信手続きにおける切り替え手続きが実行可能な状態である場合、第3の通信手続きにおける切り替え手続きを実行してもよい。
【０３２０】
さらに、UE_A10は、アイドルモード (EMM-IDLE) であり、ユーザプレーン無線ベアラ、及び/又はS1-Uを介して送受信すべきユーザデータを保持していて、さらに、第3の通信手続きにおける切り替え手続きが実行可能な状態である場合、第3の通信手続きにおける切り替え手続きを実行してもよい。
【０３２１】
なお、第3の通信手続きにおける切り替え手続きが開始されるタイミングは、これらに限らず、UE_A10が、第3の通信手続きにおける切り替え手続きが実行可能な状態であれば、任意のタイミングであってもよい。
【０３２２】
UE_A10は、第3の通信手続きにおける切り替え手続きの完了に基づいて、control plane CIoT EPS optimizationからS1-Uを用いたデータ通信に切り替えてもよいし、control plane CIoT EPS optimizationを使用している状態で、一又複数の、S1-Uベアラ、及び/又はユーザプレーン無線ベアラを確立してもよい。
【０３２３】
以下、図8を用いて、第3の通信手続きにおける切り替え手続きの各ステップについて説明する。まず、UE_A10は、eNB_A45を介してMME_A40にコントロールプレーンサービス要求 (Control Plane Service Request) メッセージを送信し(S800)、第3の通信手続きにおける切り替え手続きを開始する。
【０３２４】
ここで、UE_A10は、コントロールプレーンサービス要求メッセージに、少なくとも第8の識別情報、及び/又は第9の識別情報を含めてもよいし、これらの識別情報を含める事で、本コントロールプレーンサービス要求メッセージが第3の通信手続きにおける切り替え手続きの為のメッセージであることを示してもよい。
【０３２５】
言い換えると、UE_A10は、第8の識別情報、及び/又は第9の識別情報を含めたコントロールプレーンサービス要求メッセージを送信することにより、第3の通信手続きにおける切り替え手続きを開始する。なお、第3の通信手続きにおける切り替え手続きが実行可能な状態の場合にのみ、UE_A10は、第8の識別情報、及び/又は第9の識別情報を含めたコントロールプレーンサービス要求メッセージを送信することができる。言い換えると、第3の通信手続きにおける切り替え手続きが実行可能な状態の場合にのみ、UE_A10は、コントロールプレーンサービス要求メッセージに第8の識別情報、及び/又は第9の識別情報を含めることができる。一方で、第3の通信手続きにおける切り替え手続きが禁止されている状態においては、UE_A10は、第8の識別情報、及び/又は第9の識別情報を含めたコントロールプレーンサービス要求メッセージを送信しない。この場合、UE_A10は第3の通信手続きにおける切り替え手続きを開始しない。言い換えると、UE_A10は、第3の通信手続きにおける切り替え手続きが禁止されている状態においては、第8の識別情報、及び/又は第9の識別情報を含めたコントロールプレーンサービス要求メッセージを送信しないよう設定されている。さらに、この場合、UE_A10は第3の通信手続きにおける切り替え手続きを開始しないよう設定されている。
【０３２６】
より詳細には、UE_A10は、第8の識別情報、及び/又は第9の識別情報を含めたコントロールプレーンサービス要求メッセージを送信することで、control plane CIoT EPS optimizationからS1-Uを用いたデータ通信に切り替えることを要求してもよい。
【０３２７】
さらに、UE_A10は、第8の識別情報、及び/又は第9の識別情報を含めたコントロールプレーンサービス要求メッセージを送信することで、control plane CIoT EPS optimizationを使用している状態で、一又複数の、S1-Uベアラ、及び/又はユーザプレーン無線ベアラを確立することを要求してもよい。
【０３２８】
MME_A40は、コントロールプレーンサービス要求メッセージを受信する。MME_A40は、コントロールプレーンサービス要求メッセージの受信に基づいて、コントロールプレーンサービス要求メッセージに含まれる識別情報を受信してもよい。
【０３２９】
さらに、MME_A40は、コントロールプレーンサービス要求メッセージの受信に基づいて、ユーザプレーン無線ベアラを確立する手続きを開始する(S802)。より詳細には、MME_A40は、第8の識別情報、及び/又は第9の識別情報の受信に基づいて、無線ベアラを確立する手続きを開始してもよい。
【０３３０】
さらに、MME_A40は、コントロールプレーンサービス要求メッセージの受信に基づいて、サービス受諾 (Service Accept) メッセージを送信してもよい(S802)。この場合、UE_A10はサービス受諾メッセージを受信してもよい。
【０３３１】
UE_A10、及び/又はMME_A40は、無線ベアラを確立する手続きの完了、及び/又はサービス受諾メッセージの送受信に基づいて、第3の通信手続きにおける切り替え手続きを完了する。
【０３３２】
[2.変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０３３３】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０３３４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０３３５】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０３３６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３３７】
1 移動通信システム
5 PDN_A
10 UE_A
20 UTRAN_A
22 NB_A
24 RNC_A
25 GERAN_A
26 BSS_A
30 PGW_A
35 SGW_A
40 MME_A
42 SGSN_A
45 eNB_A
46 SCEF_A
50 HSS_A
55 AAA_A
60 PCRF_A
65 ePDG_A
70 WLAN ANa
72 WLAN APa
74 TWAG_A
75 WLAN ANb
76 WLAN APb
80 E-UTRAN_A
90 コアネットワーク_A
【図１】
2018078358.tif 000003
【図２】
2018078358.tif 000004
【図３】
2018078358.tif 000005
【図４】
2018078358.tif 000006
【図５】
2018078358.tif 000007
【図６】
2018078358.tif 000008
【図７】
2018078358.tif 000009
【図８】
2018078358.tif 000010